(57)【要約】【課題】試薬配置部に配置された複数の試薬について、必要な試薬情報を一目で容易に把握することが可能な検体分析装置、検体分析装置における試薬情報の表示方法およびコンピュータプログラムを提供する。【解決手段】この検体分析装置１は、複数の試薬が配置される第１試薬テーブル１１および第２試薬テーブル１２と、表示部４ｂと、複数の試薬マークを含む試薬管理画面４１０を表示し、各試薬に関する複数種類の試薬情報の１つを複数の試薬マークのそれぞれに選択的に表示するように表示部４ｂを制御するとともに、複数種類の試薬情報の１つが複数の試薬マークのそれぞれに選択的に表示されている場合に、試薬情報の選択を受け付けると、複数の試薬マークのそれぞれに表示される試薬情報を選択された試薬情報に切り替える制御部４ａとを備える。【選択図】図７
2010107478.tif 000002
【特許請求の範囲】
【請求項１】
検体の分析に用いられる複数の試薬が配置される試薬配置部と、
表示部と、
前記試薬配置部に配置された複数の試薬にそれぞれ対応した複数の試薬情報表示領域を含む表示画面を表示し、前記試薬配置部に配置された各試薬に関する複数種類の試薬情報の少なくとも１つを前記複数の試薬情報表示領域のそれぞれに選択的に表示するように前記表示部を制御する表示制御手段と、
前記複数種類の試薬情報の少なくとも１つが前記複数の試薬情報表示領域のそれぞれに選択的に表示されている場合に、試薬情報の表示切替指示を受け付けると、前記複数の試薬情報表示領域のそれぞれに表示されている試薬情報を他の種類の試薬情報に切り替える表示切替手段とを備える、検体分析装置。
【請求項２】
前記表示切替手段は、前記複数種類の試薬情報の少なくとも１つの選択を受け付けるように構成されており、前記複数種類の試薬情報の少なくとも１つが前記複数の試薬情報表示領域のそれぞれに選択的に表示されている場合に、他の種類の試薬情報の選択を受け付けると、前記複数の試薬情報表示領域のそれぞれに表示される試薬情報を、選択された前記他の種類の試薬情報に切り替える、請求項１に記載の検体分析装置。
【請求項３】
前記表示画面は、前記複数種類の試薬情報の少なくとも１つを選択するための複数の表示選択部を有する選択受付領域を含み、
前記表示切替手段は、前記複数の表示選択部のうちのいずれかが選択された場合に、選択された表示選択部に対応する試薬情報の選択を受け付けるように構成されている、請求項２に記載の検体分析装置。
【請求項４】
前記表示制御手段は、前記選択受付領域における前記複数の表示選択部のうち、選択された表示選択部を、他の表示選択部に対して識別可能に表示するように前記表示部を制御する、請求項３に記載の検体分析装置。
【請求項５】
前記選択受付領域は、前記複数の試薬情報表示領域のそれぞれに表示されていた試薬情報を非表示とするための非表示選択部をさらに有し、
前記表示切替手段は、前記非表示選択部が選択された場合に、前記複数の試薬情報表示領域のそれぞれに表示されていた試薬情報を非表示とする、請求項３または４に記載の検体分析装置。
【請求項６】
前記複数の表示選択部の各々は、各々の表示選択部に対応する試薬情報を示すアイコン画像を含む、請求項３〜５のいずれか１項に記載の検体分析装置。
【請求項７】
前記複数の試薬が配置される試薬配置部は、環状に構成されており、
前記表示制御手段は、前記表示画面上において、環状の前記試薬配置部の模式図を前記選択受付領域を囲むように配置するよう、前記表示部を制御するように構成されている、請求項３〜６のいずれか１項に記載の検体分析装置。
【請求項８】
前記試薬情報表示領域は、前記試薬配置部における各試薬の配置状況に対応して前記試薬配置部の模式図上に表示された、試薬を模式的に示す試薬マークの所定領域を含み、
前記表示制御手段は、前記複数の試薬マークのそれぞれの所定領域内に前記複数種類の試薬情報の少なくとも１つを選択的に表示するよう、前記表示部を制御するように構成されている、請求項７に記載の検体分析装置。
【請求項９】
前記表示画面は、前記試薬配置部に配置された複数の試薬のうち、いずれかの試薬の前記複数種類の試薬情報を含む試薬詳細情報を表示するための詳細情報表示領域を含み、
前記複数の試薬マークのいずれかの指定を受け付ける指定受付手段と、
前記指定受付手段により指定を受け付けた前記試薬マークに対応する試薬の前記試薬詳細情報を前記詳細情報表示領域に表示するよう前記表示部を制御する詳細情報表示制御手段とをさらに備える、請求項８に記載の検体分析装置。
【請求項１０】
前記複数種類の試薬情報は、試薬が前記試薬配置部に配置されてからの経過時間を示す経過時間情報と、試薬の残量を示す試薬残量情報と、試薬の使用可能回数を示す使用可能回数情報とを含み、
前記複数の表示選択部は、前記経過時間情報に対応する経過時間選択部と、前記試薬残量情報に対応する試薬残量選択部と、前記使用可能回数情報に対応する使用可能回数選択部とを有する、請求項３〜９のいずれか１項に記載の検体分析装置。
【請求項１１】
前記複数種類の試薬情報を記憶する記憶部をさらに備え、
前記表示制御手段は、前記複数種類の試薬情報の少なくとも１つを前記記憶部から読み出して前記複数の試薬情報表示領域のそれぞれに選択的に表示するように前記表示部を制御し、
前記表示切替手段は、前記複数種類の試薬情報の少なくとも１つが前記複数の試薬情報表示領域のそれぞれに選択的に表示されている場合に、試薬情報の表示切替指示を受け付けると、前記記憶部から前記他の種類の試薬情報を読み出し、前記複数の試薬情報表示領域のそれぞれに表示される試薬情報を、読み出された前記他の種類の試薬情報に切り替える、請求項１〜１０のいずれか１項に記載の検体分析装置。
【請求項１２】
前記複数の試薬情報表示領域のそれぞれに表示された前記試薬情報の種類を記憶する記憶部をさらに備え、
前記表示制御手段は、表示制御の終了時に前記複数の試薬情報表示領域のそれぞれに表示された試薬情報の種類を前記記憶部に記憶するとともに、表示制御の再開時に、前記記憶部に記憶された種類の試薬情報を前記複数の試薬情報表示領域のそれぞれに表示するよう前記表示部を制御する、請求項１〜１０のいずれか１項に記載の検体分析装置。
【請求項１３】
前記複数の試薬情報表示領域のそれぞれは、前記試薬配置部に配置された各試薬に関する所定の試薬情報を、前記複数の試薬情報表示領域のそれぞれの背景として色彩または色彩の組み合わせの変化により表示する背景表示領域を含み、
前記表示制御手段は、前記表示切替手段により前記複数の試薬情報表示領域のそれぞれに選択的に表示される前記複数種類の試薬情報の少なくとも１つを、前記複数の試薬情報表示領域のそれぞれの背景表示領域に重ねて表示するよう前記表示部を制御する、請求項１〜１２のいずれか１項に記載の検体分析装置。
【請求項１４】
前記背景表示領域が示す前記所定の試薬情報は、試薬の残量に関する情報を含む、請求項１３に記載の検体分析装置。
【請求項１５】
検体の分析に用いられる複数の試薬が配置される試薬配置部と、表示部とを備え、検体の測定を行うことが可能な検体分析装置における試薬情報の表示方法であって、
前記試薬配置部に配置された前記複数の試薬にそれぞれ対応した複数の試薬情報表示領域を含む表示画面を前記表示部に表示するステップと、
前記試薬配置部に配置された各試薬に関する複数種類の試薬情報の少なくとも１つを前記複数の試薬情報表示領域のそれぞれに選択的に表示するステップと、
前記複数種類の試薬情報の少なくとも１つが前記複数の試薬情報表示領域のそれぞれに選択的に表示されている場合に、表示切替指示を受け付けると、前記複数の試薬情報表示領域のそれぞれに表示されている試薬情報を他の種類の試薬情報に切り替えるステップとを備える、検体分析装置における試薬情報の表示方法。
【請求項１６】
検体の分析に用いられる複数の試薬が配置される試薬配置部と、表示部とを備え、検体の測定を行うことが可能な検体分析装置に用いられるコンピュータプログラムであって、
コンピュータを、
前記試薬配置部に配置された複数の試薬にそれぞれ対応した複数の試薬情報表示領域を含む表示画面を表示し、前記試薬配置部に配置された各試薬に関する複数種類の試薬情報の少なくとも１つを前記複数の試薬情報表示領域のそれぞれに選択的に表示するように前記表示部を制御する表示制御手段と、
前記複数種類の試薬情報の少なくとも１つが前記複数の試薬情報表示領域のそれぞれに選択的に表示されている場合に、表示切替指示を受け付けると、前記複数の試薬情報表示領域のそれぞれに表示されている試薬情報を他の種類の試薬情報に切り替える表示切替手段として機能させるためのコンピュータプログラム。
【発明の詳細な説明】
【技術分野】
【０００１】
この発明は、検体分析装置、検体分析装置における試薬情報の表示方法およびコンピュータプログラムに関し、特に、検体と試薬とから調製された測定試料を測定する検体分析装置、検体分析装置における試薬情報の表示方法およびコンピュータプログラムに関する。
【背景技術】
【０００２】
従来、検体と試薬とから調製された測定試料を測定する検体分析装置が知られている（たとえば、特許文献１参照）。
【０００３】
この特許文献１に記載の検体分析装置は、複数の種類の試薬を用いて検体の分析を行うように構成されており、複数の試薬を試薬配置部に配置している。また、上記特許文献１の検体分析装置は、試薬配置部における試薬の配置状態を示す試薬配置表示領域と、試薬の詳細情報を表示するための詳細情報表示領域とを含む試薬管理画面を表示部に表示するように構成されている。試薬配置表示領域においては、各試薬に対応する試薬マークが指定可能に表示され、詳細情報表示領域では、指定された試薬マークに対応する試薬の詳細情報（たとえば、試薬の残量、有効期限など）が表示されるように構成されている。
【特許文献１】特開２００８−７０１１５号公報
【発明の開示】
【発明が解決しようとする課題】
【０００４】
ところで、検体分析装置のユーザには、試薬配置部に配置された複数の試薬の詳細情報を容易に把握するために、指定された試薬の詳細情報だけでなく、試薬配置部に配置された複数の試薬の詳細情報を１つの表示画面で表示部に表示させたいという要望がある。
【０００５】
しかしながら、このような要望に応えるために、たとえば試薬配置部に配置された複数の試薬の詳細情報を１つの表示画面で表示部に表示しようとしても、表示画面における表示面積は限られているため、各試薬について全ての種類の試薬情報を１つの表示画面に表示することは困難である。また、１つの試薬の詳細情報には試薬の残量や有効期限など複数の種類の試薬情報が含まれている一方、ユーザが確認したい情報は複数の種類の試薬情報の一部のみであることが多い。このため、試薬配置部に配置された複数の試薬について、全ての種類の試薬情報を表示すると、ユーザが必要とする情報以外の情報も表示されてしまい、ユーザにとっては情報過多となる。この場合、ユーザは複数の種類の情報の中から必要な情報を探すことになるため、必要な情報を把握することが困難になるという問題点がある。
【０００６】
この発明は、上記のような課題を解決するためになされたものであり、この発明の１つの目的は、試薬配置部に配置された複数の試薬について、必要な試薬情報を容易に把握することが可能な検体分析装置、検体分析装置における試薬情報の表示方法およびコンピュータプログラムを提供することである。
【課題を解決するための手段および発明の効果】
【０００７】
この発明の第１の局面による検体分析装置は、検体の分析に用いられる複数の試薬が配置される試薬配置部と、表示部と、試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに選択的に表示するように表示部を制御する表示制御手段と、複数種類の試薬情報の少なくとも１つが複数の試薬情報表示領域のそれぞれに選択的に表示されている場合に、試薬情報の表示切替指示を受け付けると、複数の試薬情報表示領域のそれぞれに表示されている試薬情報を他の種類の試薬情報に切り替える表示切替手段とを備える。
【０００８】
この第１の局面による検体分析装置では、上記のように、試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに選択的に表示することによって、複数の試薬情報表示領域のそれぞれに、対応する試薬の試薬情報を表示させることができるので、ユーザは、試薬配置部に配置された複数の試薬の試薬情報を容易に把握することができる。また、表示切替指示を受け付けると、複数の試薬情報表示領域のそれぞれに表示されている試薬情報を他の種類の試薬情報に切り替えるように構成することによって、複数種類の試薬情報の中から、複数の試薬情報表示領域のそれぞれに試薬情報を選択的に表示させることができる。これにより、ユーザは、必要な試薬情報を複数の試薬情報表示領域に選択的に表示させることによって、ユーザにとって情報過多となることなく必要とする情報を把握することができる。
【０００９】
上記第１の局面による検体分析装置において、好ましくは、表示切替手段は、複数種類の試薬情報の少なくとも１つの選択を受け付けるように構成されており、複数種類の試薬情報の少なくとも１つが複数の試薬情報表示領域のそれぞれに選択的に表示されている場合に、他の種類の試薬情報の選択を受け付けると、複数の試薬情報表示領域のそれぞれに表示される試薬情報を、選択された他の種類の試薬情報に切り替える。このように構成すれば、ユーザは、複数種類の試薬情報の中から選択するだけで、容易に、複数の試薬情報表示領域に表示される試薬情報を、所望の試薬情報に切り替えることができる。
【００１０】
この場合、好ましくは、表示画面は、複数種類の試薬情報の少なくとも１つを選択するための複数の表示選択部を有する選択受付領域を含み、表示切替手段は、複数の表示選択部のうちのいずれかが選択された場合に、選択された表示選択部に対応する試薬情報の選択を受け付けるように構成されている。このように構成すれば、表示画面に含まれる選択受付領域の複数の表示選択部から選択するだけで、複数の試薬情報表示領域に表示される試薬情報を選択することができる。これにより、ユーザは、必要な試薬情報の選択と表示とを同じ表示画面内で行うことができる。
【００１１】
上記表示画面が複数の表示選択部を有する選択受付領域を含む構成において、好ましくは、表示切替手段は、選択受付領域における複数の表示選択部のうち、選択された表示選択部を、他の表示選択部に対して識別可能に表示するように表示部を制御するよう構成されている。このように構成すれば、複数の試薬情報表示領域に表示されている試薬情報が、複数の表示選択部のうち、いずれの表示選択部が選択されることにより表示されているのかを識別することができる。これにより、ユーザは、複数の試薬情報表示領域に表示されている試薬情報が、複数種類の試薬情報の内の、どの試薬情報なのかを容易に把握することができる。
【００１２】
上記表示画面が複数の表示選択部を有する選択受付領域を含む構成において、好ましくは、選択受付領域は、複数の試薬情報表示領域のそれぞれ表示されていた試薬情報を非表示とするための非表示選択部をさらに含み、表示切替手段は、非表示選択部が選択された場合に、複数の試薬情報表示領域のそれぞれに表示されていた試薬情報を非表示とする。このように構成すれば、ユーザは、表示画面に表示された選択受付領域の中から非表示選択部を選択することにより、複数の試薬情報表示領域のそれぞれに表示されていた試薬情報を必要に応じて非表示に切り替えることができる。
【００１３】
上記表示画面が複数の表示選択部を有する選択受付領域を含む構成において、好ましくは、複数の表示選択部の各々は、各々の表示選択部に対応する試薬情報を示すアイコン画像を含む。このように構成すれば、ユーザは、複数種類の試薬情報を、各々の表示選択部のアイコン画像によって、直感的に認識して選択することができる。
【００１４】
上記表示画面が複数の表示選択部を有する選択受付領域を含む構成において、好ましくは、複数の試薬が配置される試薬配置部は、環状に構成されており、表示制御手段は、表示画面上において、環状の試薬配置部の模式図を選択受付領域を囲むように配置するよう、表示部を制御するように構成されている。このように構成すれば、ユーザは、環状に表示された試薬配置部の模式図により、表示画面を見るだけで試薬配置部の試薬の配置を直感的に把握することができるとともに、環状の模式図の中央の試薬情報表示領域が配置されない部分に選択受付領域を配置することができるので、表示スペースを有効利用することができる。
【００１５】
この場合、好ましくは、試薬情報表示領域は、試薬配置部における各試薬の配置状況に対応して試薬配置部の模式図上に表示された、試薬を模式的に示す試薬マークの所定領域を含み、表示制御手段は、複数の試薬マーク内のそれぞれの所定領域内に複数種類の試薬情報の少なくとも１つを選択的に表示するよう、表示部を制御するように構成されている。このように構成すれば、表示画面上の各試薬マークの配置が、実際の試薬の配置に対応して表示され、かつ、試薬マークの所定領域内に試薬情報が表示されるので、ユーザは、試薬マークの表示を見ることにより、試薬の配置位置と対応させて試薬情報を確認することができる。
【００１６】
上記各試薬の配置状況に対応して、複数の試薬マークを表示する構成において、好ましくは、表示画面は、試薬配置部に配置された複数の試薬のうち、いずれかの試薬の複数種類の試薬情報を含む試薬詳細情報を表示するための詳細情報表示領域を含み、複数の試薬マークのいずれかの指定を受け付ける指定受付手段と、指定受付手段により指定を受け付けた試薬マークに対応する試薬の試薬詳細情報を詳細情報表示領域に表示するよう表示部を制御する詳細情報表示制御手段とをさらに備える。このように構成すれば、ユーザは、複数の試薬マークに表示された所望の試薬情報を試薬の配置状況とともに把握した上で、確認を要する試薬マークを指定して試薬詳細情報を表示させることができる。これにより、ユーザは、試薬配置部に多数配置される試薬の全体的な状況と、確認を要する試薬の詳細な情報との両方を容易に把握することができるので、作業性を向上させることができる。
【００１７】
上記表示画面が複数の表示選択部を有する選択受付領域を含む構成において、好ましくは、複数種類の試薬情報は、試薬が試薬配置部に配置されてからの経過時間を示す経過時間情報と、試薬の残量を示す試薬残量情報と、試薬の使用可能回数を示す使用可能回数情報とを含み、複数の表示選択部は、経過時間情報に対応する経過時間選択部と、試薬残量情報に対応する試薬残量選択部と、使用可能回数情報に対応する使用可能回数選択部とを有する。このように構成すれば、ユーザは、検体分析装置の使用上、試薬交換のために頻繁な確認を要する試薬の残量を示す試薬残量情報と、測定可能な回数を把握するための試薬の使用可能回数情報と、各試薬の有効期限などの判断のための経過時間を示す経過時間情報とを、それぞれ試薬残量選択部と、使用可能回数選択部と、経過時間選択部とを選択することにより複数の試薬情報表示領域に一括で選択的に表示させることができる。これにより、頻繁に確認する必要がある情報を必要に応じて一覧して把握することができる。
【００１８】
上記第１の局面による検体分析装置において、好ましくは、複数種類の試薬情報を記憶する記憶部をさらに備え、表示制御手段は、複数種類の試薬情報の少なくとも１つを記憶部から読み出して複数の試薬情報表示領域のそれぞれに選択的に表示するように表示部を制御し、表示切替手段は、複数種類の試薬情報の少なくとも１つが複数の試薬情報表示領域のそれぞれに選択的に表示されている場合に、試薬情報の表示切替指示を受け付けると、記憶部から他の種類の試薬情報を読み出し、複数の試薬情報表示領域のそれぞれに表示される試薬情報を、読み出された他の種類の試薬情報に切り替える。このように構成すれば、複数の試薬情報表示領域のそれぞれに、容易に、複数種類の試薬情報を選択的に表示することができる。
【００１９】
上記第１の局面による検体分析装置において、好ましくは、複数の試薬情報表示領域のそれぞれに表示された試薬情報の種類を記憶する記憶部をさらに備え、表示制御手段は、表示制御の終了時に複数の試薬情報表示領域のそれぞれに表示された試薬情報の種類を記憶部に記憶するとともに、表示制御の再開時に、記憶部に記憶された種類の試薬情報を複数の試薬情報表示領域のそれぞれに表示するよう表示部を制御するように構成されている。このように構成すれば、検体分析装置を起動（表示制御の開始）する毎に試薬情報表示領域に表示させる試薬情報を切り替える必要がないので、余計な切り替え作業を行うことなく、試薬情報を確認することができる。また、特定の試薬情報のみを常時試薬情報表示領域に表示させたままにしておくこともできるので、ユーザが常に必要とする試薬情報を常時表示させておくこともできる。
【００２０】
上記第１の局面による検体分析装置において、好ましくは、複数の試薬情報表示領域のそれぞれは、試薬配置部に配置された各試薬に関する所定の試薬情報を、複数の試薬情報表示領域のそれぞれの背景として色彩または色彩の組み合わせの変化により表示する背景表示領域を含み、表示制御手段は、表示切替手段により複数の試薬情報表示領域のそれぞれに選択的に表示される複数種類の試薬情報の少なくとも１つを、複数の試薬情報表示領域のそれぞれの背景表示領域に重ねて表示するよう表示部を制御するように構成されている。このように構成すれば、各試薬情報表示領域に表示される試薬情報の表示に重ねて、他の試薬情報を背景として表示させることができるので、各試薬情報表示領域を拡大することなく複数の試薬情報を表示させることができる。これにより、表示領域を拡大することなく、より多くの試薬情報を表示画面上に表示させることができる。
【００２１】
この場合、好ましくは、背景表示領域が示す所定の試薬情報は、試薬の残量に関する情報を含む。このように構成すれば、検体分析装置の使用上、試薬交換のために頻繁な確認を要する試薬の残量に関する情報を、各試薬情報表示領域に表示される試薬情報の表示に重ねて、背景として常に確認できるように表示させておくことができる。
【００２２】
この発明の第２の局面による検体分析装置における試薬情報の表示方法は、検体の分析に用いられる複数の試薬が配置される試薬配置部と、表示部とを備え、検体の測定を行うことが可能な検体分析装置における試薬情報の表示方法であって、試薬配置部に配置された複数の試薬にそれぞれ対応した複数の試薬情報表示領域を含む表示画面を表示部に表示するステップと、試薬配置部に配置された各試薬に関する複数種類の試薬情報の少なくとも１つを複数の試薬情報表示領域のそれぞれに選択的に表示するステップと、複数種類の試薬情報の少なくとも１つが複数の試薬情報表示領域のそれぞれに選択的に表示されている場合に、表示切替指示を受け付けると、複数の試薬情報表示領域のそれぞれに表示されている試薬情報を他の種類の試薬情報に切り替えるステップとを備える。
【００２３】
この第２の局面による検体分析装置における試薬情報の表示方法では、上記のように、試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに表示することによって、複数の試薬情報表示領域のそれぞれに、対応する試薬の試薬情報を表示させることができるので、ユーザは、試薬配置部に配置された複数の試薬の試薬情報を容易に把握することができる。また、表示切替指示を受け付けると、複数の試薬情報表示領域のそれぞれに表示されている試薬情報を他の種類の試薬情報に切り替えるように構成することによって、複数の試薬情報表示領域のそれぞれに表示される試薬情報を、複数種類の試薬情報の中から選択的に表示させることができる。これにより、ユーザは、必要な試薬情報を複数の試薬情報表示領域のそれぞれに選択的に表示させることによって、ユーザにとって情報過多となることなく必要とする情報を把握することができる。
【００２４】
この発明の第３の局面によるコンピュータプログラムは、検体の分析に用いられる複数の試薬が配置される試薬配置部と、表示部とを備え、検体の測定を行うことが可能な検体分析装置に用いられるコンピュータプログラムであって、検体分析装置の試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに選択的に表示するように表示部を制御する表示制御手段と、複数種類の試薬情報の少なくとも１つが複数の試薬情報表示領域のそれぞれに選択的に表示されている場合に、表示切替指示を受け付けると、複数の試薬情報表示領域のそれぞれに表示されている試薬情報を他の種類の試薬情報に切り替える表示切替手段としてコンピュータを機能させる。
【００２５】
この第３の局面によるコンピュータプログラムでは、上記のように、検体分析装置の試薬配置部に配置された複数の試薬にそれぞれ対応した複数の試薬情報表示領域を含む表示画面を表示し、試薬配置部に配置された各試薬に関する複数種類の試薬情報の少なくとも１つを複数の試薬情報表示領域のそれぞれに表示することによって、複数の試薬情報表示領域のそれぞれに、対応する試薬の試薬情報を表示させることができるので、ユーザは、試薬配置部に配置された複数の試薬の試薬情報を容易に把握することができる。また、表示切替指示を受け付けると、複数の試薬情報表示領域のそれぞれに表示されている試薬情報を他の種類の試薬情報に切り替えるように構成することによって、複数の試薬情報表示領域のそれぞれに表示される試薬情報を、複数種類の試薬情報の中から選択的に表示させることができる。これにより、ユーザは、必要な試薬情報を複数の試薬情報表示領域のそれぞれに選択的に表示させることによって、ユーザにとって情報過多となることなく必要とする情報を把握することができる。
【発明を実施するための最良の形態】
【００２６】
以下、本発明を具体化した実施形態を図面に基づいて説明する。
【００２７】
図１〜図５は、本発明の一実施形態による検体分析装置の全体構成を示す図である。図６は、本発明の一実施形態による検体分析装置の制御装置を説明するための図である。図７〜図１５は、本発明の一実施形態による検体分析装置の表示部に表示される画面を説明するための図である。図１６〜図１９は、本発明の一実施形態による検体分析装置の試薬容器ラックおよび試薬容器を示す斜視図である。図２０および図２１は、本発明の一実施形態による検体分析装置の詳細を説明するためのブロック図である。まず、図１〜図２１を参照して、本発明の一実施形態による検体分析装置１の構造を説明する。
【００２８】
本発明の一実施形態による検体分析装置１は、血液の凝固・線溶機能に関連する特定の物質の量や活性の度合いを光学的に測定して分析するための装置であり、検体としては血漿を用いる。本実施形態による検体分析装置１では、凝固時間法、合成基質法および免疫比濁法を用いて検体の光学的な測定（本測定）を行っている。本実施形態で用いる凝固時間法は、検体が凝固する過程を透過光の変化として検出する測定方法である。そして、測定項目としては、ＰＴ（プロトロンビン時間）、ＡＰＴＴ（活性化部分トロンボプラスチン時間）やＦｂｇ（フィブリノーゲン量）などがある。また、合成基質法の測定項目としてはＡＴＩＩＩなど、免疫比濁法の測定項目としてはＤダイマー、ＦＤＰなどがある。
【００２９】
そして、検体分析装置１は、図１および図２に示すように、測定機構部２と、測定機構部２の前面側に配置された検体搬送機構部３と、測定機構部２に電気的に接続された制御装置４とにより構成されている。また、測定機構部２には、測定を行う際の検体の容器となるキュベット２００（図４参照）を投入するキュベット投入部５が設けられている。キュベット投入部５には、開閉可能な蓋５ａと、キュベット投入部５の中を視認可能な窓５ｂとが設けられている。また、キュベット投入部５の前面側には、緊急停止ボタン１ａと、測定開始ボタン１ｂとが設けられている。蓋５ａ（図１参照）は、後述するキュベット供給機構部１６０の第１ホッパ１６１ａ（図４参照）にキュベット２００を投入するために設けられている。また、ユーザは、窓５ｂから第１ホッパ１６１ａ（図４参照）に貯留されているキュベット２００の残量を視認することが可能である。緊急停止ボタン１ａ（図１参照）は、緊急の場合に測定を停止させる機能を有する。測定開始ボタン１ｂ（図１参照）は、押すことにより、測定が開始されるように構成されている。これにより、ユーザは、キュベット２００を投入した後、直ぐに測定を開始することが可能である。なお、制御装置４の操作によっても測定の開始および停止が可能である。
【００３０】
制御装置４は、パーソナルコンピュータ４０１（ＰＣ）などからなり、図１および図２に示すように、制御部４ａと、表示部４ｂと、キーボード４ｃとを含んでいる。制御部４ａは、後述する測定機構部２の制御部５０１（図２１参照）に測定機構部２の動作開始信号を送信するとともに、測定機構部２で得られた検体の光学的な情報を分析するための機能を有している。この制御部４ａは、ＣＰＵ、ＲＯＭ、ＲＡＭなどからなる。また、表示部４ｂは、検体中に存在する干渉物質（ヘモグロビン、乳び（脂質）およびビリルビン）に関する情報と、制御部４ａで得られた分析結果とを表示するために設けられている。
【００３１】
次に、制御装置４の構成について詳細に説明する。制御部４ａは、図６に示すように、ＣＰＵ４０１ａと、ＲＯＭ４０１ｂと、ＲＡＭ４０１ｃと、ハードディスク４０１ｄと、読出装置４０１ｅと、入出力インタフェース４０１ｆと、通信インタフェース４０１ｇと、画像出力インタフェース４０１ｈとから主として構成されている。ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、および画像出力インタフェース４０１ｈは、バス４０１ｉによって接続されている。
【００３２】
ＣＰＵ４０１ａは、ＲＯＭ４０１ｂに記憶されているコンピュータプログラムおよびＲＡＭ４０１ｃにロードされたコンピュータプログラムを実行することが可能である。そして、後述するようなアプリケーションプログラム４０４ａをＣＰＵ４０１ａが実行することにより、コンピュータ４０１が制御装置４として機能する。
【００３３】
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラムおよびこれに用いるデータなどが記録されている。
【００３４】
ＲＡＭ４０１ｃは、ＳＲＡＭまたはＤＲＡＭなどによって構成されている。ＲＡＭ４０１ｃは、ＲＯＭ４０１ｂおよびハードディスク４０１ｄに記録されているコンピュータプログラムの読み出しに用いられる。また、これらのコンピュータプログラムを実行するときに、ＣＰＵ４０１ａの作業領域として利用される。
【００３５】
ハードディスク４０１ｄは、オペレーティングシステムおよびアプリケーションプログラムなど、ＣＰＵ４０１ａに実行させるための種々のコンピュータプログラムおよびそのコンピュータプログラムの実行に用いるデータがインストールされている。本実施形態に係る干渉物質の有無や濃度を算出するためのアプリケーションプログラム４０４ａも、このハードディスク４０１ｄにインストールされている。また、本実施形態では、後述する試薬マスタ、試薬ロットマスタおよび容器マスタなどのテーブルは、このハードディスク４０１ｄに記憶されている。また、ハードディスク４０１ｄには、試薬情報データベース３６（図３２参照）が格納されている。図３２に示すように、試薬情報データベース３６は、リレーショナルデータベースであり、ホルダ番号、試薬名、使用可能量（残量）、残テスト数（使用可能回数）、セット日、セット時刻などの各フィールドを備えている。各レコードは、試薬保存部６に配置された複数の試薬のうちの１つの試薬に対応している。制御部４ａは、試薬バーコードリーダ３５０によって読み取られたバーコード情報を元に、ハードディスク４０１ｄに記憶されている後述する試薬マスタ、試薬ロットマスタおよび容器マスタなどのテーブルを参照して、ホルダ番号、試薬名、ロット番号、試薬容器の種類、試薬の有効期限などの試薬情報を取得し、試薬情報データベース３６に記憶するように構成されている。試薬情報データベース３６に格納された試薬情報は、制御装置４の制御部４ａにより表示部４ｂに反映されるように構成されている。
【００３６】
読出装置４０１ｅは、フレキシブルディスクドライブ、ＣＤ−ＲＯＭドライブ、またはＤＶＤ−ＲＯＭドライブなどによって構成されており、可搬型記録媒体４０４に記録されたコンピュータプログラムまたはデータを読み出すことができる。また、可搬型記録媒体４０４には、本実施形態に係るアプリケーションプログラム４０４ａが格納されており、コンピュータ４０１がその可搬型記録媒体４０４からアプリケーションプログラム４０４ａを読み出し、そのアプリケーションプログラム４０４ａをハードディスク４０１ｄにインストールすることが可能である。
【００３７】
なお、上記アプリケーションプログラム４０４ａは、可搬型記録媒体４０４によって提供されるのみならず、電気通信回線（有線、無線を問わない）によってコンピュータ４０１と通信可能に接続された外部の機器から上記電気通信回線を通じて提供することも可能である。たとえば、上記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００３８】
また、ハードディスク４０１ｄには、たとえば、米マイクロソフト社が製造販売するＷｉｎｄｏｗｓ（登録商標）などのグラフィカルユーザインタフェース環境を提供するオペレーティングシステムがインストールされている。以下の説明においては、本実施形態に係るアプリケーションプログラム４０４ａは上記オペレーティングシステム上で動作するものとしている。
【００３９】
入出力インタフェース４０１ｆは、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース４０１ｆには、キーボード４ｃが接続されており、ユーザがそのキーボード４ｃを使用することにより、コンピュータ４０１にデータを入力することが可能である。
【００４０】
通信インタフェース４０１ｇは、たとえば、Ｅｔｈｅｒｎｅｔ（登録商標）インタフェースである。コンピュータ４０１は、その通信インタフェース４０１ｇにより、所定の通信プロトコルを使用して測定機構部２との間でデータの送受信が可能である。
【００４１】
画像出力インタフェース４０１ｈは、ＬＣＤまたはＣＲＴなどで構成された表示部４ｂに接続されており、ＣＰＵ４０１ａから与えられた画像データに応じた映像信号を表示部４ｂに出力するようになっている。表示部４ｂは、入力された映像信号にしたがって、画像（画面）を表示する。
【００４２】
ここで、本実施形態では、表示部４ｂは、図７に示すように、後述する試薬保存部６の試薬の配置を表示する試薬管理画面４１０を表示することが可能である。試薬管理画面４１０は、試薬配置表示領域４２０と、試薬詳細情報表示領域４３０と、操作手段表示領域４４０とを有する。また、試薬管理画面４１０には、検体分析装置１の測定を開始するための測定開始ボタン４１１と、測定を停止するための測定停止ボタン４１２とが設けられている。なお、表示部４ｂは、タッチパネル機能を有し、試薬管理画面４１０に表示されるボタンなどをユーザが直接触れることによって選択または操作可能である。
【００４３】
試薬配置表示領域４２０には、後述する内側の第１試薬テーブル１１に配置されている試薬の配置状態に対応して表示される最大１０個の第１試薬マーク４２１と、後述する外側の第２試薬テーブル１２に配置されている試薬の配置状態に対応して表示される最大３０個の第２試薬マーク４２２と、後述する希釈液または洗浄液の配置状態に対応して表示される最大５個の希釈・洗浄液マーク４２３とが指定可能に表示される。
【００４４】
第１試薬マーク４２１は、図１５に示すように、上部の領域に設けられた試薬の位置を示す位置表示部４２１ａと、中央部に設けられた試薬名を示す試薬名表示部４２１ｂと、下部に設けられた付加情報表示部４２１ｃとを含む。また、試薬名表示部４２１ｂおよび付加情報表示部４２１ｃに重ねて（背景として）、色彩により試薬の残量を表示する残量インジケータ４２１ｄが設けられている。また、第１試薬マーク４２１において、位置表示部４２１ａと試薬名表示部４２１ｂとの中間（境界線上）の領域には、使用順マーク４２１ｅが設けられている。また、図７に示すように、第２試薬マーク４２２は、第１試薬マーク４２１と同様に、位置表示部４２２ａと、試薬名表示部４２２ｂと、付加情報表示部４２２ｃと、残量インジケータ４２２ｄと、使用順マーク４２２ｅとを含む。また、希釈・洗浄液マーク４２３も、上部の領域に設けられ、希釈液・洗浄液の位置を表示する位置表示部４２３ａと、中央部に設けられた希釈液・洗浄液の液名を表示する液名表示部４２３ｂと、下部に設けられた付加情報表示部４２３ｃとを含む。また、希釈・洗浄液マーク４２３は、液名表示部４２３ｂおよび付加情報表示部４２３ｃに重ねて（背景として）設けられた残量インジケータ４２３ｄと、位置表示部４２１ａと試薬名表示部４２１ｂとの中間（境界線上）の領域に設けられた使用順マーク４２３ｅとを含む。なお、希釈液・洗浄液は、第１試薬テーブル１１または第２試薬テーブル１２に配置される場合もある。この場合には、希釈液・洗浄液の配置された位置に対応する第１試薬マーク４２１または第２試薬マーク４２２に希釈液・洗浄液の情報が表示される。
【００４５】
ここで、本実施形態では、指定された第１試薬マーク４２１、第２試薬マーク４２２または希釈・洗浄液マーク４２３は、指定された試薬マーク（第１試薬マーク４２１、第２試薬マーク４２２または希釈・洗浄液マーク４２３）以外の試薬マークまたは希釈・洗浄液マークと識別可能に表示される。たとえば、図１５に示すように、指定された第１試薬マーク４２１の試薬名表示部４２１ｂおよび付加情報表示部４２１ｃに対する背景（残量インジケータ４２１ｄ）は、たとえば、青色（図１５の「指定状態」）に表示される。なお、第２試薬マーク４２２または希釈・洗浄液マーク４２３が指定された場合も同様に青色に表示される。したがって、図７に示す例では、指定された第２試薬マーク４２２の試薬名表示部４２２ｂ（たとえば、第２試薬マーク４２２のＳＨＰ）および付加情報表示部４２２ｃ（非表示）の背景（残量インジケータ４２２ｄ）は、たとえば、青色（細ハッチングで図示）に表示される。
【００４６】
第１試薬マーク４２１および第２試薬マーク４２２の位置表示部４２１ａおよび４２２ａに表示される試薬の位置情報（ホルダ番号）は、後述する第１試薬容器ラック３１０のバーコード３１１ｂ、３１２ｂ（図１６参照）および第２試薬容器ラック３２０のバーコード３２１ｂ〜３２６ｂ（図１７参照）を試薬バーコードリーダ３５０（図５参照）により読み取ることによって表示される。また、試薬名表示部４２１ｂおよび４２２ｂに表示される試薬名は、試薬を収容した試薬容器３００のバーコード３００ａ（図１８および図１９参照）を試薬バーコードリーダ３５０（図５参照）により読み取った値を元に、後述する試薬マスタ（テーブル）を参照して表示される。また、希釈・洗浄液マークの位置表示部４２３ａは、希釈液または洗浄液を収容した希釈・洗浄液容器（図示せず）を保持するための緊急検体セット部１４０の保持部１４１（図５参照）が検体分析装置１に固定されているため、常に表示されている。また、液名表示部４２３ｂは、希釈液または洗浄液を収容した希釈・洗浄液容器（図示せず）のバーコード（図示せず）をバーコードリーダ３５１（図５参照）により読み取った値を元に、後述する試薬マスタ（テーブル）を参照して表示される。
【００４７】
また、本実施形態では、第１試薬マーク４２１、第２試薬マーク４２２および希釈・洗浄液マーク４２３の各々の付加情報表示部４２１ｃ、４２２ｃおよび４２３ｃには、選択受付領域４２８においてユーザにより選択された試薬情報が各試薬マークの付加情報として切替可能に表示される。具体的には、付加情報表示部４２１ｃ、４２２ｃおよび４２３ｃには、試薬（希釈液・洗浄液）が第１試薬テーブル１１、第２試薬テーブル１２または保持部１４１に配置されてからの経過時間、試薬容器３００または図示しない希釈・洗浄液容器中の試薬（希釈液・洗浄液）の残量（使用可能量）および試薬（希釈液・洗浄液）の残テスト数（使用可能回数）のいずれかが表示される。付加情報表示部４２１ｃ、４２２ｃおよび４２３ｃに表示される試薬情報の切り替えは、経過時間アイコン４２８ｂ、試薬残量アイコン４２８ｃまたは残テスト数アイコン４２８ｄが選択されることにより受け付けられる。なお、付加情報表示部４２１ｃ、４２２ｃおよび４２３ｃの表示は非表示とすることも可能である。この場合は、選択受付領域４２８の付加情報なしアイコン４２８ａが選択されることにより受け付けられる。
【００４８】
ここで、第１試薬マーク４２１の付加情報表示部４２１ｃを例に、付加情報表示部４２１ｃ（４２２ｃ、４２３ｃ）による試薬情報の表示切替を具体的に説明する。図７および図８に示すように、付加情報なしアイコン４２８ａが選択されている場合には、第１試薬マーク４２１の付加情報表示部４２１ｃは非表示（破線部参照）となる。また、図９および図１０に示すように、経過時間アイコン４２８ｂが選択されている場合には、第１試薬マーク４２１に対応する試薬の試薬容器３００のバーコード３００ａ（図１８参照）が試薬バーコードリーダ３５０（図５参照）により読み取られた時間から現時点までの経過時間が表示される。図１０に示す４つの第１試薬マーク４２１の各付加情報表示部４２１ｃには「５ｈ」が表示され、試薬を収容したそれぞれの試薬容器３００のバーコード３００ａが読み取られてから５時間が経過していることを示している。また、図１１および図１２に示すように、試薬残量アイコン４２８ｃが選択されている場合には、各第１試薬マーク４２１に対応する試薬容器３００に収容される試薬の残量（使用可能量）が表示される。図１２に示す４つの第１試薬マーク４２１の各付加情報表示部４２１ｃには、それぞれ、「３．０ｍｌ」、「０．３ｍｌ」、「１．２ｍｌ」および「０ｍｌ」が表示されており、各第１試薬マーク４２１に対応するそれぞれの試薬容器３００に収容された試薬の残量が「３．０ｍｌ」、「０．３ｍｌ」、「１．２ｍｌ」および「０ｍｌ」であることが示されている。
【００４９】
また、図１３および図１４に示すように、残テスト数アイコン４２８ｄが選択されている場合には、各第１試薬マーク４２１に対応する試薬容器３００に収容される試薬の残量（使用可能量）を、試薬マスタにおいて予め設定された１回の測定における試薬の使用量で割った値（残テスト数）が表示される。図１４に示す４つの第１試薬マーク４２１の各付加情報表示部４２１ｃには、それぞれ、「５０ｔｅｓｔ」、「５ｔｅｓｔ」、「２０ｔｅｓｔ」および「０ｔｅｓｔ」が表示されており、各第１試薬マーク４２１に対応するそれぞれの試薬容器３００に収容された試薬の残テスト数が「５０回」、「５回」、「２０回」および「０回」であることが示されている。なお、ここでは第１試薬マーク４２１の付加情報表示部４２１ｃについて説明したが、第２試薬マーク４２２および希釈・洗浄液マーク４２３の付加情報表示部４２２ｃおよび４２３ｃも同様に表示される。
【００５０】
また、本実施形態では、図１５に示すように、残量インジケータ４２１ｄ、４２２ｄおよび４２３ｄによる試薬または希釈液・洗浄液の残量表示は、容器内の残量に応じて色彩の組み合わせにより表示される。ここでは、第１試薬マーク４２１を例に説明する。残量インジケータ４２１ｄは、容器内の試薬残量を、「使用可能量」を１回の測定で使用される試薬量で割った「残テスト数」を指標として表示する。この残量インジケータ４２１ｄの表示は、ユーザにより設定された中断テスト数（たとえば、残テスト数５回）および警告テスト数（たとえば、残テスト数０回）を基準に色彩を変更して表示される。
【００５１】
具体的には、図１５に示すように、たとえば残テスト数が警告テスト数の６倍より多い場合、試薬容器３００内には十分残量が確保されているので、第１試薬マーク４２１の試薬名表示部４２１ｂおよび付加情報表示部４２１ｃの背景全体が水色表示される。そして、残テスト数が警告テスト数の６倍以下の場合には、試薬残量が減少するのに応じて段階的に残量インジケータ４２１ｄの水色の領域が減少する（白色の領域が増加する）。たとえば、残テスト数が警告テスト数の２倍より多く、かつ４倍以下の場合、試薬名表示部４２１ｂの下まで水色の領域が減少する。試薬の残テスト数が中断テスト数より多く、かつ警告テスト数以下の場合、残量インジケータ４２１ｄの試薬を示す水色の領域はさらに減少するとともに、黄色の警告色が表示される。そして、試薬の残テスト数が中断テスト数以下の場合、残量インジケータ４２１ｄの水色の領域は非表示となり、試薬切れを示す赤色の警告色が表示される。また、試薬テーブルに配置されてから一度も使用されていない試薬に対しては、試薬の残量が不明であるため、残量インジケータ４２１ｄは、灰色表示される。なお、この残量インジケータ４２１ｄは、第１試薬マーク４２１の試薬名表示部４２１ｂおよび付加情報表示部４２１ｃの背景として、重ねて表示される。このため、付加情報表示部４２１ｃの表示が非表示または他の表示に切り替えられた場合にも表示されている。このように、第１試薬マーク４２１、第２試薬マーク４２２および希釈・洗浄液マーク４２３のそれぞれの残量インジケータ４２１ｄ、４２２ｄおよび４２３ｄの各々は、容器内の試薬の残量に応じて色彩の組み合わせを変更させることにより、試薬の残量を表示する。
【００５２】
なお、試薬容器３００内の試薬の残量は、試薬容器３００のバーコード３００ａを試薬バーコードリーダ３５０により読み取った値を元に容器マスタ（テーブル）を参照して特定する試薬容器３００の形状と、試薬容器３００に収容されている試薬の液面の高さとにより算出される。また、希釈・洗浄液マーク４２３の残量インジケータ４２３ｄに表示される希釈液または洗浄液の残量は、希釈液または洗浄液を収容した希釈・洗浄液容器（図示せず）のバーコード（図示せず）をバーコードリーダ３５１により読み取った値を元に容器マスタ（テーブル）を参照して特定する希釈・洗浄液容器の形状と、希釈・洗浄液容器に収容されている希釈液または洗浄液の液面の高さとにより算出される。
【００５３】
また、第１試薬マーク４２１、第２試薬マーク４２２および希釈・洗浄液マーク４２３の各々の使用順マーク４２１ｅ、４２２ｅおよび４２３ｅには、第１試薬テーブル１１または第２試薬テーブル１２（希釈液・洗浄液の場合には、保持部１４１を含む）に同じ種類（たとえば、「ＰＴ  ＴＰＣ＋」など）の試薬が複数配置されている場合に、測定において使用される順番が表示される。使用順は試薬容器３００のバーコード３００ａ（図１８参照）が試薬バーコードリーダ３５０（図５参照）により読み取られた日時である「セット日」および「セット時間」の早い順に設定される。また、使用順マーク４２１ｅ、４２２ｅおよび４２３ｅは、最大３つ表示され、使用順マークの個数が使用順を表す。第１試薬マーク４２１を例に示すと、図１５に示すように、１番目に使用される試薬に対応する第１試薬マーク４２１（使用順１）には、位置表示部４２１ａと試薬名表示部４２１ｂの間の領域に１つの使用順マーク４２１ｅが表示される。また、２番目に使用される試薬に対応する第１試薬マーク４２１（使用順２）には、位置表示部４２１ａと試薬名表示部４２１ｂの間の領域に２つの使用順マーク４２１ｅが表示される。３番目に使用される試薬に対応する第１試薬マーク４２１（使用順３）には、位置表示部４２１ａと試薬名表示部４２１ｂの間の領域に３つの使用順マーク４２１ｅが表示される。なお、同じ試薬（図１５では「ＰＴ  ＴＰＣ＋」）が４つ以上試薬テーブルに複数配置されている場合、３番目以降の使用順は表示されない。使用順１の試薬が交換され、新たな試薬がセットされると、「セット日」および「セット時間」がバーコード３００ａの読み取り日時に更新される。これにより、使用順が繰り上がり、４番目の使用順に該当していた試薬マークに使用順マーク４２１ｅが３つ表示されるようになる。
【００５４】
また、図７に示すように、試薬配置表示領域４２０において、第１試薬マーク４２１は、第１試薬テーブル１１（図５参照）に配置される２つの試薬容器３００を保持可能な５つの第１試薬容器ラック３１０（図５参照）に対応する第１ラックマーク４２４毎に２つずつ分割されて表示される。また、第２試薬マーク４２２は、第２試薬テーブル１２（図５参照）に配置される６つの試薬容器３００を保持可能な５つの第２試薬容器ラック３２０（図５参照）に対応する第２ラックマーク４２５毎に６つずつ分割されて表示される。すなわち、試薬管理画面４１０では、どの試薬テーブル（第１試薬テーブル１１または第２試薬テーブル１２）の、どの試薬容器ラック（第１試薬容器ラック３１０または第２試薬容器ラック３２０）の、どの位置に試薬が配置されているかを確認することが可能である。
【００５５】
また、試薬容器ラックが試薬テーブルに配置されていない場合には、試薬容器ラックが配置されていない部分に対応する領域に、内側に何も表示されない円形のラック未配置マーク４２６が表示される。また、第１試薬容器ラック３１０または第２試薬容器ラック３２０が第１試薬テーブル１１または第２試薬テーブル１２に配置されており、試薬容器ラックに保持される試薬容器３００がない場合には、試薬が配置されていない部分に対応する領域に、試薬未配置マーク４２７が表示される。この試薬未配置マーク４２７は、試薬が配置されていない部分の位置情報（ホルダ番号）を表示する位置表示部４２７ａを有する。この点については、後に詳細に説明する。
【００５６】
また、図７に示すように、第１試薬マーク４２１、第２試薬マーク４２２、ラック未配置マーク４２６および試薬未配置マーク４２７のうち、所定の位置に位置するマークは、マークの外周が所定の色（たとえば、茶色（図中では太線で図示））で表示される。この外周が茶色で表示されたマークＡは、その位置に配置された試薬を攪拌することが可能であることを示す。攪拌が必要な試薬は、外周が茶色で表示されたマークＡの位置に配置される。
【００５７】
また、攪拌が必要な試薬が、上記外周が茶色で表示されたマークＡの位置に配置されていない場合には、攪拌が必要な試薬の試薬マークに誤配置マークＢ（たとえば、赤色の×印）が表示される。また、後述する有効期限が切れた試薬の試薬マークには、有効期限切れマークＣ（たとえば、赤色（図中では太線で図示）の１本の斜線）が表示される。検体分析装置１は、誤配置マークまたは有効期限切れマークが表示されている試薬マークに対応する試薬を測定に使用しないように構成されている。また、後述する試薬のセット日およびセット時刻から所定の時間（たとえば、８時間）経過した試薬の試薬マークには、安定時間切れマークＤ（たとえば、黄色（図中では白抜きの線で図示）の１本の斜線）が表示される。また、試薬容器３００のバーコード３００ａの試薬バーコードリーダ３５０による読み取りが失敗した場合には、読み取りが失敗した試薬容器に収容されている試薬の試薬マークにバーコード読取エラーマークＥ（たとえば、「？」マーク）が表示される。
【００５８】
また、本実施形態では、試薬配置表示領域４２０の中央には、各試薬マークに表示される付加情報（試薬情報）を切り替えるための画像表示された４つのアイコン（付加情報なしアイコン４２８ａ、経過時間アイコン４２８ｂ、試薬残量アイコン４２８ｃおよび残テスト数アイコン４２８ｄ）を有する円形状の選択受付領域４２８が表示される。試薬配置表示領域４２０は、環状（図５参照）に構成された第１試薬テーブル１１および第２試薬テーブル１２を示す環状の模式図からなり、選択受付領域４２８を囲むように配置されている。また、各アイコンが選択（押下）された場合に、各第１試薬マーク４２１、第２試薬マーク４２２および希釈・洗浄液マーク４２３の付加情報表示部４２１ｃ、４２２ｃおよび４２３ｃに選択されたアイコンに対応する試薬情報の選択を受け付けるように構成されている。なお、いずれの場合にも、ホルダ番号および試薬名は表示される。
【００５９】
経過時間アイコン４２８ｂ、試薬残量アイコン４２８ｃおよび残テスト数アイコン４２８ｄは、それぞれ、付加情報表示部４２１ｃ、４２２ｃおよび４２３ｃに各試薬の経過時間、残量（使用可能量）、残テスト数を切替可能に選択的に表示する機能を有する。また、付加情報なしアイコン４２８ａは、付加情報表示部４２１ｃ、４２２ｃおよび４２３ｃに表示されたこれらの試薬情報を非表示とする機能を有する。各アイコン（付加情報なしアイコン４２８ａ、経過時間アイコン４２８ｂ、試薬残量アイコン４２８ｃおよび残テスト数アイコン４２８ｄ）のいずれかが選択されると、選択されたアイコンの背景色が変更（たとえば、橙色）される。これにより、選択されたアイコンが他のアイコンと識別可能に表示され、各試薬マーク（第１試薬マーク４２１、第２試薬マーク４２２および希釈・洗浄液マーク４２３）の付加情報表示部４２１ｃ、４２２ｃおよび４２３ｃに表示されている試薬情報の種類を認識することができる。また、各アイコンが選択されると、その選択内容（いずれのアイコンが選択されたか）がハードディスク４０１ｄに記憶されるように構成されている。これにより、各アイコンが選択された状態で検体分析装置１の作業を終了してシャットダウンされた場合に、次回の起動時にはシャットダウン前の選択内容が保持（表示）されるように構成されている。
【００６０】
図７および図８に示すように、付加情報なしアイコン４２８ａがユーザにより選択されると、付加情報なしアイコン４２８ａの背景色が変更されるとともに、第１試薬マーク４２１、第２試薬マーク４２２および希釈・洗浄液マーク４２３の全てのマークの付加情報表示部４２１ｃ、４２２ｃおよび４２３ｃの表示が非表示となる。
【００６１】
また、図９および図１０に示すように、経過時間アイコン４２８ｂがユーザにより選択されると、経過時間アイコン４２８ｂの背景色が変更されるとともに、全てのマークの表示が「経過時間」に切り替えられる。
【００６２】
また、図１１および図１２に示すように、試薬残量アイコン４２８ｃがユーザにより選択されると、試薬残量アイコン４２８ｃの背景色が変更されるとともに、全てのマークの表示が「試薬残量（使用可能量）」に切り替えられる。
【００６３】
また、図１３および図１４に示すように、残テスト数アイコン４２８ｄがユーザにより選択されると、残テスト数アイコン４２８ｄの背景色が変更されるとともに、全てのマークの表示が「残テスト数」に切り替えられる。
【００６４】
なお、これらの「経過時間」、「残テスト数」および「使用可能量」の各試薬情報は、いずれも各試薬の詳細情報として取得され、ハードディスク４０１ｄの試薬情報データベース３６に記憶されている。各アイコン（付加情報なしアイコン４２８ａ、経過時間アイコン４２８ｂ、試薬残量アイコン４２８ｃおよび残テスト数アイコン４２８ｄ）の選択時には、それぞれ対応する試薬情報（経過時間、使用可能量、残テスト数）がハードディスク４０１ｄの試薬情報データベース３６から読み出され、各付加情報表示部４２１ｃ、４２２ｃおよび４２３ｃに反映される。
【００６５】
また、図７に示すように、試薬詳細情報表示領域４３０には、指定された第１試薬マーク４２１または第２試薬マーク４２２に対応する試薬の詳細情報（ホルダ番号、試薬名、使用順、試薬の残量（使用可能量）、残テスト数、攪拌の有無、ロット番号、試薬容器の種類、試薬の有効期限、セット日、セット時刻および経過時間など）が表示される。より詳細には、「ホルダ番号」の欄には、指定された試薬マークの位置表示部に表示されている試薬の位置情報が表示される。「試薬名」の欄には、指定された試薬マークの試薬名表示部と同様に、試薬容器３００のバーコード３００ａを試薬バーコードリーダ３５０により読み取った値を元に、試薬マスタを参照して特定した試薬名が表示される。「使用順」の欄には、同じ試薬が試薬テーブルに複数配置されている場合に測定において使用する順番が表示される。「使用可能量」の欄には、指定された試薬マークに対応する試薬の残量が表示される。「残テスト数」の欄には、「使用可能量」を１回の測定で使用される試薬量で割った値が表示される。「攪拌」の欄には、指定された試薬マークに対応する試薬が、攪拌される必要があるか否かが表示される。「ロット番号」の欄には、試薬容器３００のバーコード３００ａを試薬バーコードリーダ３５０により読み取った値を元に、試薬ロットマスタを参照して特定したロット番号が表示される。「容器種類」の欄には、試薬容器３００のバーコード３００ａを試薬バーコードリーダ３５０により読み取った値を元に、容器マスタを参照して特定した容器の種類が表示される。「有効期限」の欄には、試薬容器３００のバーコード３００ａを試薬バーコードリーダ３５０により読み取った値を元に、試薬ロットマスタを参照して特定したロット番号に対応する有効期限が表示される。「セット日」の欄および「セット時刻」の欄には、指定した試薬マークに対応する試薬を検体分析装置１にセットした日時が表示される。「経過時間」の欄には、試薬を検体分析装置１にセットした「セット日」および「セット時刻」からの経過時間が表示される。この試薬の詳細情報によって、ユーザは、試薬の交換時期の判断などの試薬の管理を行うことが可能である。また、バーコードの読み取りが失敗して、試薬の詳細情報が表示されない場合には、試薬の詳細情報は、後述する試薬情報編集ボタン４４０ｂによって編集可能である。また、試薬交換の直後など、試薬の残量が不明の場合には、後述する試薬残量計測ボタン４４０ｄによって計測することができる。
【００６６】
また、試薬詳細情報表示領域４３０には、「交換済み」ボタン４３１が設けられている。この「交換済み」ボタン４３１は、試薬を交換した際に、交換した試薬を検体分析装置１が認識しなかった場合に、手動で試薬の交換が行われたことを検体分析装置１に認識させる機能を有する。「交換済み」ボタン４３１を押すことにより、対応する試薬について、試薬情報データベース３６の「セット日」および「セット時刻」が、「交換済み」ボタン４３１を押した日時に更新され、試薬詳細情報表示領域４３０の「セット日」および「セット時刻」が、「交換済み」ボタン４３１を押した日時に更新される。
【００６７】
また、操作手段表示領域４４０は、試薬の交換または追加を指示するための交換・追加指示ボタン４４０ａと、試薬情報の編集を行うための編集ボタン４４０ｂと、測定項目に試薬ロットを割り当てるための試薬ロット設定ボタン４４０ｃと、試薬残量確認ボタン４４０ｄとを含む。
【００６８】
第１試薬マーク４２１または第２試薬マーク４２２が指定された状態で、交換・追加指示ボタン４４０ａが選択されることによって、指定された試薬マークに対応する試薬が収容された試薬容器３００を保持する第１試薬容器ラック３１０または第２試薬容器ラック３２０が、検体分析装置１から取出可能な取出位置に移動されるように構成されている。なお、試薬の追加が行われる場合には、試薬未配置マーク４２７が指定された状態で、交換・追加指示ボタン４４０ａが選択される。これにより、指定された試薬未配置マークを含むラックマークに対応する第１試薬容器ラック３１０または第２試薬容器ラック３２０が取出位置に移動されるように構成されている。また、同様に、希釈・洗浄液マーク４２３が指定された状態で、交換・追加ボタン４４０ａが選択されることにより、希釈液または洗浄液を交換または追加することが可能である。
【００６９】
また、試薬の交換または追加の際、交換・追加ボタン４４０ａが押されてから、指定された第１試薬マーク４２１、第２試薬マーク４２２または試薬未配置マーク４２７を含むラックマークに対応する試薬容器ラックが取出位置に移動するまでの待機状態と、上記試薬容器ラックが取出位置から外部に取り出し可能な取出可能状態とをユーザに識別可能に色分け表示する機能を有する。なお、試薬の交換または追加に関しては、後に詳細に説明する。
【００７０】
また、試薬マークが指定された状態で、編集ボタン４４０ｂを押すことにより、指定された試薬マークに対応する試薬の詳細情報を編集することが可能である。また、試薬ロット使用設定ボタン４４０ｃは、測定項目毎に、複数の試薬ロット、もしくは複数の試薬ロットの組み合わせに対して、それぞれのロット、もしくはロットの組み合わせが使用可能かどうかを設定するための試薬ロット使用設定ダイアログ（図示せず）を表示させる機能を有する。また、試薬残量確認ボタン４４０ｄは、残量が不明の試薬が設置されている場合に、装置に残量の検出を指示するために設けられている。
【００７１】
検体搬送機構部３は、図１〜図３に示すように、測定機構部２に検体を供給するために、検体を収容した複数（本実施形態では、１０本）の試験管２５０が載置されたラック２５１を測定機構部２の吸引位置２ａ（図３参照）に搬送する機能を有している。また、搬送機構部３は、未処理の検体を収容した試験管２５０が収納されたラック２５１をセットするためのラックセット領域３ａと、処理済みの検体を収容した試験管２５０が収納されたラック２５１を収容するためのラック収容領域３ｂとを有している。
【００７２】
測定機構部２は、搬送機構部３から供給された検体に対して光学的な測定を行うことにより、供給された検体に関する光学的な情報を取得することが可能なように構成されている。本実施形態では、搬送機構部３のラック２５１に載置された試験管２５０から測定機構部２のキュベット２００内に分注された検体に対して光学的な測定が行われる。また、測定機構部２は、図３に示すように、試薬を保存するための試薬保存部６と、試薬を交換または追加するための試薬交換部７とを含んでいる。
【００７３】
測定機構部２は、図２０に示すように、検体分注駆動部７０ａと、試薬分注駆動部１２０ａと、第１駆動部５０２と、第２駆動部５０３と、第１ロック検知部５０４と、第２ロック検知部５０５と、試薬バーコードリーダ３５０と、検体バーコードリーダ３ｃと、第１光学的情報取得部８０と、第２光学的情報取得部１３０と、搬送機構部３などに電気的に接続される制御部５０１とを有している。
【００７４】
検体分注駆動部７０ａは、後述する検体分注アーム７０（図３および図５参照）を回転上下させる機能を有するステッピングモータ部７０ｂと、ステッピングモータ部７０ｂを駆動させるための駆動回路（図示せず）と、検体を吸引および分注するためのポンプ（図示せず）とを備えている。
【００７５】
試薬分注駆動部１２０ａは、後述する試薬分注アーム１２０（図３および図５参照）を回転上下させる機能を有するステッピングモータ部１２０ｂと、ステッピングモータ部１２０ｂを駆動させるための駆動回路（図示せず）と、試薬を吸引および分注するためのポンプ（図示せず）とを備えている。
【００７６】
第１駆動部５０２は、後述する第１試薬テーブル１１（図５参照）を回転させる機能を有する第１ステッピングモータ（図示せず）と、第１ステッピングモータを駆動させるための駆動回路（図示せず）とを備えている。そして、第１試薬テーブル１１は、制御部５０１から第１駆動部５０２に供給された駆動パルス信号のパルス数に応じた分だけ回転し、停止する。
【００７７】
同様に、第２駆動部５０３は、後述する第２試薬テーブル１２（図５参照）を回転させる機能を有する第２ステッピングモータ（図示せず）と、第２ステッピングモータを駆動させるための駆動回路（図示せず）とを備えている。そして、第２試薬テーブル１２は、制御部５０１から第２駆動部５０３に供給された駆動パルス信号のパルス数に応じた分だけ回転し、停止する。
【００７８】
なお、制御部５０１は、供給した駆動パルス信号のパルス数をカウントすることにより、第１試薬テーブル１１および第２試薬テーブル１２の原点位置からの各試薬テーブル１１、１２の回転移動量を決定し、各試薬テーブル１１、１２の回転移動を制御することが可能である。
【００７９】
第１ロック検知部５０４は、後述する第１蓋部３０（図３参照）のロック状態を検知するとともに、ロックされたときにロック信号を制御部５０１に送信する機能を有している。
【００８０】
同様に、第２ロック検知部５０５は、後述する第２蓋部４０（図３参照）のロック状態を検知するとともに、ロックされたときにロック信号を制御部５０１に送信する機能を有している。
【００８１】
試薬バーコードリーダ３５０は、第１試薬テーブル１１および第２試薬テーブル１２上の各バーコードを読み取る機能を有しており、後述する試薬保存部６の側面２１の近傍に、試薬保存部６と所定の距離を隔てて設けられている（図３〜図５参照）。この試薬バーコードリーダ３５０は、制御部５０１との間でデータの送受信を行うことが可能であるとともに、試薬バーコードリーダ３５０をＯＮ／ＯＦＦ制御するための駆動回路（図示せず）を有している。なお、試薬バーコードリーダ３５０の位置は常に固定されている。
【００８２】
検体バーコードリーダ３ｃは、搬送機構部３によって搬送されたラック２５１に載置された検体を収容した試験管２５０に貼付されたバーコードを読み取る機能を有しており、前述した測定機構部２の吸引位置２ａの近傍に、搬送機構部３によって搬送されるラック２５１に対向するように設けられている（図３〜図５参照）。この検体バーコードリーダ３ｃは、制御部５０１との間でデータの送受信を行うことが可能であるとともに、検体バーコードリーダ３ｃをＯＮ／ＯＦＦ制御するための駆動回路（図示せず）を有している。なお、検体バーコードリーダ３ｃの位置は常に固定されている。
【００８３】
第１光学情報取得部８０と第２光学情報取得部１３０（図３および図５参照）は、検体の光学的情報を取得するための機能を有しており、制御部５０１との間でデータの送受信を行うことが可能なように構成されている。第１光学情報取得部８０と第２光学情報取得部１３０の詳細については後述する。
【００８４】
制御部５０１は、図２１に示すように、ＣＰＵ５０１ａとＲＯＭ５０１ｂと、ＲＡＭ５０１ｃと、通信インタフェース５０１ｄとから主として構成されている。
【００８５】
ＣＰＵ５０１ａは、ＲＯＭ５０１ｂに記憶されているコンピュータプログラムおよびＲＡＭ５０１ｃに読み出されたコンピュータプログラムを実行することが可能である。ＲＯＭ５０１ｂは、ＣＰＵ５０１ａに実行させるためのコンピュータプログラム及び当該コンピュータプログラムの実行に用いるデータなどを記憶している。ＲＡＭ５０１ｃは、ＲＯＭ５０１ｂに記憶しているコンピュータプログラムの読み出しに用いられる。また、これらのコンピュータプログラムを実行するときに、ＣＰＵ５０１ａの作業領域として利用される。
【００８６】
通信インタフェース５０１ｄは、制御装置４に接続されており、検体の光学的な情報を制御装置４に送信するとともに、制御装置４の制御部４ａからの信号を受信するための機能を果たす。また、通信インタフェース５０１ｄは、搬送機構部３および測定機構部２の各部を駆動するためのＣＰＵ５０１ａからの指令を送信するための機能を有する。
【００８７】
また、測定機構部２は、図３に示すように、試薬を保存するための試薬保存部６と、試薬を交換または追加するための試薬交換部７とを含んでいる。
【００８８】
試薬保存部６は、キュベット２００内の検体に添加される試薬を収容した試薬容器３００を、低温（約１０℃）で冷蔵保存するとともに、回転方向に搬送するために設けられている。試薬を低温で保存することにより、試薬が変質することが抑制される。また、試薬保存部６は、図３〜図５に示すように、試薬の保持および回転搬送を行う試薬搬送部１０（図４および図５参照）と、試薬搬送部１０の周囲および上方を覆うように設けられた外壁部２０（図３参照）とを含んでいる。また、試薬が保持される試薬搬送部１０は、外壁部２０と、後述する試薬交換部７の第１蓋部３０および第２蓋部４０とにより形成される冷蔵領域に配置される。
【００８９】
この試薬搬送部１０は、図５に示すように、円形状の第１試薬テーブル１１と、円形状の第１試薬テーブル１１の外側に、第１試薬テーブル１１に対して同心円状に配置された円環形状の第２試薬テーブル１２とを含む。また、第１試薬テーブル１１および第２試薬テーブル１２は、それぞれ、試薬容器３００を保持する第１試薬容器ラック３１０および第２試薬容器ラック３２０が着脱可能に配置されるように構成されている。また、外壁部２０は、側面２１（図４参照）と、側面２１に固定されている上面２２（図３参照）と、取り外し可能な蓋部２３（図３参照）とにより構成されている。また、試薬保存部６の側面２１（図４参照）の近傍には、試薬保存部６と所定の距離を隔てて試薬バーコードリーダ３５０が設けられている。
【００９０】
第１試薬テーブル１１および第２試薬テーブル１２は、それぞれ、時計回り方向および反時計回り方向の両方に回転可能で、かつ、各々のテーブルが互いに独立して回転可能なように構成されている。これにより、試薬が収容された試薬容器３００を保持する第１試薬容器ラック３１０および第２試薬容器ラック３２０は、それぞれ、第１試薬テーブル１１および第２試薬テーブル１２によって回転方向に搬送される。また、試薬容器３００を回転方向に搬送することによって、後述する試薬分注アーム１２０が試薬を分注する際に、分注対象の試薬を試薬分注アーム１２０の近傍に配置させることが可能である。
【００９１】
また、外壁部２０の側面２１には、断熱材（図示せず）が取り付けられており、試薬保存部６（冷蔵領域）内の冷気を逃がさないように構成されている。また、図４に示すように、外壁部２０の側面２１の試薬バーコードリーダ３５０と対向する位置には、開閉可能なシャッタ２１ａが設けられている。このシャッタ２１ａは、試薬バーコードリーダ３５０によって試薬容器３００、第１試薬容器ラック３１０および第２試薬容器ラック３２０のバーコードを読み取る時にのみ開くように構成されている。これにより、試薬保存部６（冷蔵領域）内の冷気が外部に逃げることが抑制される。
【００９２】
また、図３に示すように、外壁部２０の上面２２は、３つの穴部２２ａ、２２ｂおよび２２ｃを含む。この３つの穴部２２ａ、２２ｂおよび２２ｃを介して、試薬分注アーム１２０により試薬保存部６に保存されている試薬の吸引が行われる。なお、穴部２２ａは、第１試薬容器ラック３１０に保持されている試薬容器３００の上方に位置する。この穴部２２ａを介して、第１試薬容器ラック３１０に保持されている試薬容器３００から試薬の吸引が行われる。また、穴部２２ｂおよび２２ｃは、それぞれ、第２試薬容器ラック３２０の後列および前列に保持されている試薬容器３００の上方に位置する。この穴部２２ｂおよび２２ｃを介して、第２試薬容器ラック３２０の後列および前列に保持されている試薬容器３００から試薬の吸引が行われる。
【００９３】
また、蓋部２３が後述する第１蓋部３０および第２蓋部４０とともに取り外されることによって、試薬保存部６（冷蔵領域）に半円形状の開口が形成される。この開口を介して、検体分析装置１において測定を開始する際に、試薬保存部６に第１試薬容器ラック３１０および第２試薬容器ラック３２０が配置される。
【００９４】
また、図５に示すように、第１試薬容器ラック３１０は、第１試薬テーブル１１に５つ配置可能である。この５つの第１試薬容器ラック３１０に、試薬容器３００が円環状に配置される。第１試薬容器ラック３１０は、図１６および図１８に示すように、試薬容器３００を保持するための２つの保持部３１１および３１２と、保持部３１１および３１２の前面側にそれぞれ設けられた切欠部３１１ａおよび３１２ａと、上方に突出するように設けられた１つの把持部３１３とを含む。また、図１６に示すように、保持部３１１および３１２は、平面的に見て円形状に形成されており、円筒形状の試薬容器３００が差し込まれることにより試薬容器３００を保持可能である。また、アダプタ（図示せず）を保持部３１１または３１２に取り付けることにより、上記保持部３１１または３１２の内径よりも小さい外径を有する試薬容器３００を保持部３１１または３１２に保持させることが可能である。また、第１試薬容器ラック３１０は、保持部３１１および３１２の内径の組み合わせが異なるように形成された２種類のラックを含む。ユーザは、適宜ラックの種類を変えることによって、様々な大きさの試薬容器３００に対応可能である。また、保持部３１１および３１２の外側面の前面側には、それぞれ、バーコード３１１ｂおよび３１２ｂが設けられており、保持部３１１および３１２の内側面には、それぞれ、バーコード３１１ｃおよび３１２ｃが設けられている。
【００９５】
２つの保持部３１１および３１２は、検体から測定用試料を調製する際に添加される種々の試薬を収容した複数の試薬容器３００を１つずつ保持することが可能である。すなわち、第１試薬テーブル１１には、最大１０個（２×５＝１０）の試薬容器３００が配置可能である。また、切欠部３１１ａおよび３１２ａは、それぞれ、バーコード３１１ｃおよび３１２ｃを試薬バーコードリーダ３５０（図５参照）によって読み取るために設けられている。また、把持部３１３は、第１試薬容器ラック３１０を試薬保存部６から取り出す時に把持される。
【００９６】
バーコード３１１ｂおよび３１２ｂには、それぞれ、保持部３１１および３１２の位置を識別するための位置情報（ホルダ番号）が含まれている。また、バーコード３１１ｃおよび３１２ｃには、保持部３１１および３１２に保持される試薬容器３００は存在しないことを示す情報（試薬容器無し情報）が含まれている。また、試薬容器３００のバーコード３００ａには、試薬容器３００に収容されている試薬の詳細情報（試薬名、試薬容器の種類、ロット番号、試薬の有効期限などの情報）を特定するための情報が含まれている。
【００９７】
なお、たとえば、試薬容器３００が保持部３１１に保持されている場合には、バーコード３１１ｃは読み取られず、試薬容器３００のバーコード３００ａが読み取られる。すなわち、試薬バーコードリーダ３５０によってバーコード３１１ｂを読み取った後にバーコード３００ａを読み取った場合は、制御部４ａは、バーコード３００ａによる試薬情報を有する試薬が保持部３１１に保持されていると認識するように構成されている。そして、試薬管理画面４１０の試薬配置表示領域４２０において、保持部３１１に対応する位置に第１試薬マーク４２１が表示されるように構成されている。また、試薬バーコードリーダ３５０によってバーコード３１１ｂを読み取った後にバーコード３１１ｃを読み取った場合は、制御部４ａは、保持部３１１に保持されている試薬容器３００は存在しないと認識するように構成されている。そして、試薬管理画面４１０の試薬配置表示領域４２０において、保持部３１１に対応する位置に試薬未配置マーク４２７が表示されるように構成されている。また、試薬バーコードリーダ３５０によってバーコード３１１ｂを読み取った後にバーコード３００ａまたはバーコード３１１ｃのいずれも読み取らなかった場合（試薬容器３００が横を向いている場合など）には、制御部４ａは、読み取りエラーを認識するとともに、表示部４ｂにおいて、読み取りが失敗したことを表すバーコード読取エラーマークＥが表示されるように構成されている。また、第１試薬テーブル１１に第１試薬容器ラック自体が配置されていない場合には、試薬バーコードリーダ３５０は、第１試薬容器ラック３１０のバーコード３１１ｂ、３１２ｂ、３１１ｃ、３１２ｃおよび試薬容器３００のバーコード３００ａを読み取ることがないように構成されている。このため、試薬管理画面４１０の試薬配置表示領域４２０において、第１試薬容器ラック３１０が配置されていない部分に対応する第１ラックマーク４２４上には、ラック未配置マーク４２６が表示されるように構成されている。
【００９８】
また、第２試薬容器ラック３２０は、図５に示すように、第２試薬テーブル１２に５つ配置可能である。この５つの試薬容器ラック３２０に、試薬容器３００が円環状に配置される。また、互いに隣接する第２試薬容器ラック３２０の５箇所の隙間のうち、１個所は、他の４箇所の隙間の間隔よりも大きい間隔を有する。この大きい間隔を有する隙間１２ａを介して、試薬保存部６の外部に位置する試薬バーコードリーダ３５０により、第２試薬テーブル１２の内側に位置する第１試薬テーブル１１に配置される第１試薬容器ラック３１０のバーコード３１１ｂおよび３１２ｂと、第１試薬容器ラック３１０に保持される試薬容器３００のバーコード３００ａとが読み取られる。また、第２試薬容器ラック３２０は、図１７および図１９に示すように、試薬容器３００を保持するための６つの保持部３２１〜３２６と、保持部３２１〜３２６の前面側にそれぞれ設けられた切欠部３２１ａ〜３２６ａと、上方に突出するように設けられた１つの把持部３２７とを含む。また、第２試薬容器ラック３２０の保持部３２１〜３２６は、第１試薬容器ラック３１０と同様に、平面的に見て円形状に形成されており、円筒形状の試薬容器３００が差し込まれることにより試薬容器３００を保持可能である。この第２試薬容器ラック３２０は、保持部３２１〜３２６の内径の組み合わせがそれぞれ異なるように形成された３種類のラックを含む。また、第２試薬容器ラック３２０には、第１試薬容器ラック３１０に配置された試薬と同じ試薬を配置することが可能に構成されている。
【００９９】
また、前列側の切欠部３２１ａの両側には、バーコード３２１ｂと３２２ｂとが設けられている。また、同様に、切欠部３２３ａの両側および切欠部３２５ａの両側には、それぞれ、バーコード３２３ｂおよび３２４ｂ、および、バーコード３２５ｂおよび３２６ｂが設けられている。また、保持部３２１〜３２６の内側面には、それぞれ、バーコード３２１ｃ〜３２６ｃが設けられている。
【０１００】
このバーコード３２１ｂ〜３２６ｂには、それぞれ、保持部３２１〜３２６の位置を識別するための位置情報（ホルダ番号）が含まれている。また、バーコード３２１ｃおよび３２６ｃには、保持部３２１〜３２６に保持される試薬容器３００は存在しないことを示す情報（試薬容器無し情報）が含まれている。
【０１０１】
また、試薬バーコードリーダ３５０によって読み取られた試薬情報または試薬容器無し情報は、位置情報（ホルダ番号）と対応させて制御部４ａのハードディスク４０１ｄの試薬情報データベース３６に記憶されるように構成されている。また、ハードディスク４０１ｄの試薬情報データベース３６に記憶された情報は、制御装置４の制御部４ａにより表示部４ｂの試薬管理画面４１０に反映されるように構成されている。
【０１０２】
また、バーコード３１１ｂ、３１２ｂおよび３２１ｂ〜３２６ｂは、４桁の値を示している。１桁目は、「Ａ」または「Ｂ」の値をとり、「Ａ」は、試薬容器３００が第２試薬テーブル１２に配置されていることを示し、「Ｂ」は、試薬容器３００が第１試薬テーブル１１に配置されていることを示す。また、２桁目は、「１」〜「５」の値をとり、「１」〜「３」は、それぞれ、第２試薬容器ラック３２０の３種類の形状を示し、「４」および「５」は、それぞれ、第１試薬容器ラック３１０の２種類の形状を示す。また、３桁目は、「０」〜「９」の値をとり、第１試薬容器ラック３１０または第２試薬容器ラック３２０の番号を示す。また、４桁目は、第１試薬容器ラック３１０のバーコード３１１ｂおよび３１２ｂでは、「１」または「２」の値をとり、「１」および「２」は、それぞれ、保持部３１１および３１２を示す。また、第２試薬容器ラック３２０のバーコード３２１ｂ〜３２６ｂでは、「１」〜「６」の値をとり、「１」〜「６」は、それぞれ、保持部３２１〜３２６を示す。このバーコード（バーコード３１１ｂ、３１２ｂおよび３２１ｂ〜３２６ｂ）の値は、図７に示すように、試薬管理画面４１０の第１試薬マーク４２１の位置表示部４２１ａ、第２試薬マーク４２２の位置表示部４２２ａまたは試薬未配置マーク４２７の位置表示部４２７ａに反映されるように構成されている。たとえば、バーコードの値が「Ａ１１−６」であった場合には、第２試薬テーブル１２に配置可能であるとともに、３種類の内の「１」に対応するラック（第２試薬容器ラック３２０）であり、ラック番号１の第２試薬容器ラック３２０の６番目の保持部（保持部３２６）を表す。すなわち、４桁の値のうち、前３桁は、試薬容器ラックを特定し、後１桁は、その試薬容器ラックにおける試薬の位置を特定する。
【０１０３】
また、詳細情報のうちの試薬名は、試薬管理画面４１０の第１試薬マーク４２１および第２試薬マーク４２２の試薬名表示部４２１ｂおよび４２２ｂに反映されるように構成されている。また、試薬容器無し情報は、試薬未配置マーク４２７に反映されるように構成されている。すなわち、図７に示すように、試薬が配置されていた場合には、試薬名表示部４２１ｂまたは４２２ｂに試薬名が表示され、試薬が配置されていない場合には、試薬名表示部４２１ｂまたは４２２ｂには何も表示されない。たとえば、図７では、試薬位置「Ａ１２−５」には、試薬名「ＣａＣｌ２」が配置されており、試薬位置「Ａ１４−２」には、試薬が配置されていない。
【０１０４】
また、試薬交換部７は、図１および図２に示すように、検体分析装置１の中央部近傍に設けられている。ここで、本実施形態では、試薬交換部７は、図３に示すように、ロック機構３１および４１をそれぞれ備えた取り外し可能な第１蓋部３０および第２蓋部４０と、ユーザに第１試薬テーブル１１および第２試薬テーブル１２の搬送状態を通知する通知部５０とを含んでいる。
【０１０５】
第１蓋部３０は、第１試薬テーブル１１（第１試薬容器ラック３１０）に配置された試薬容器３００の交換が行われる際に取り外すことが可能なように構成されている。また、第１蓋部３０のロック機構３１は、通常使用時、または、試薬の交換または追加が終了した後に、第１蓋部３０が外れないようにロックするとともに、第１試薬テーブル１１における試薬の交換または追加が終了したことを制御部４ａに認識させるために設けられている。
【０１０６】
また、第２蓋部４０は、第２試薬テーブル１２（第２試薬容器ラック３２０）に配置された試薬容器３００の交換の際に取り外すことが可能なように構成されている。また、第２蓋部４０のロック機構４１は、通常使用時、または、試薬の交換が終了した後に、第２蓋部４０が外れないようにロックするとともに、第２試薬テーブル１２における試薬の交換または追加が終了したことを制御部４ａに認識させるために設けられている。
【０１０７】
また、通知部５０は、２つのＬＥＤインジケータ５１および５２を含む。図１および図３に示すように、２つのＬＥＤインジケータ５１および５２は、第２蓋部４０の近傍に配置されており、検体分析装置１の外部からユーザが視認可能である。また、ＬＥＤインジケータ５１および５２は、青色または赤色に発光可能である。
【０１０８】
ＬＥＤインジケータ５１は、ユーザが試薬管理画面４１０において指定した第１試薬テーブル１１の試薬に対応する第１試薬容器ラック３１０が、試薬の交換が可能な取出位置（第１蓋部３０の下方）に移動されたことをユーザに通知する機能を有する。具体的には、第１試薬テーブル１１が回転移動中には、ＬＥＤインジケータ５１は、赤色に発光し、指定された第１試薬テーブル１１の試薬に対応する第１試薬容器ラック３１０が取出位置に移動されて停止した時には、青色に発光するように構成されている。これにより、ユーザに、試薬の交換または追加のために第１蓋部３０を取り外すタイミングを通知することが可能である。
【０１０９】
また、ＬＥＤインジケータ５２は、ユーザが試薬管理画面４１０において指定した第２試薬テーブル１２の試薬に対応する第２試薬容器ラック３２０が、試薬の交換が可能な取出位置（第２蓋部４０の下方）に移動されたことをユーザに通知する機能を有する。ＬＥＤインジケータ５２は、ＬＥＤインジケータ５１と同様に、第２試薬テーブル１２が回転移動中には赤色に発光し、指定された第２試薬テーブル１２の試薬に対応する第２試薬容器ラック３２０が取出位置に移動されて停止した時には、青色に発光するように構成されている。
【０１１０】
また、試薬の交換または追加が終了した後、第１蓋部３０または第２蓋部４０のロックがユーザにより行われると、検体分析装置１は、自動的に、交換された試薬が保持される第１試薬容器ラック３１０または第２試薬容器ラック３２０に保持される全ての試薬容器３００のバーコード３００ａの読み取りが行われるように構成されている。これにより、たとえば、１つの試薬を指定して試薬の交換を指示した際に、指定した試薬に加えて、同じ第１試薬容器ラック３１０または第２試薬容器ラック３２０に含まれる指定した試薬以外の試薬も交換した場合にも、交換後の試薬の配置が正しく試薬管理画面４１０に反映される。
【０１１１】
また、測定機構部２は、さらに、図３〜図５に示すように、キュベット搬送部６０と、検体分注アーム７０と、第１光学的情報取得部８０と、ランプユニット９０と、加温部１００と、キュベット移送部１１０と、試薬分注アーム１２０と、第２光学的情報取得部１３０と、緊急検体セット部１４０と、流体部１５０と、キュベット供給機構部１６０とを備えている。
【０１１２】
キュベット搬送部６０は、キュベット２００を検体分析装置１の各部分に搬送する機能を有する。キュベット搬送部６０は、円環形状の第２試薬テーブル１２の外側に配置された円環形状のキュベット搬送テーブル６１と、キュベット搬送テーブル６１上に円周方向に沿って所定の間隔を隔てて設けられた円筒形状の複数のキュベット保持部６２とからなる。キュベット保持部６２は、キュベット２００を１つずつ保持するために設けられている。キュベット搬送テーブル６１のキュベット保持部６２に保持されたキュベット２００（図５参照）には、搬送機構部３の試験管２５０に収容されている検体および試薬保存部６に保存されている試薬が分注され、測定用試料が調製される。
【０１１３】
検体分注アーム７０は、搬送機構部３により吸引位置２ａに搬送された試験管２５０に収容される検体を吸引するとともに、吸引した検体をキュベット搬送テーブル６１のキュベット保持部６２に保持されたキュベット２００内に分注する機能を有している。図４に示すように、検体分注アーム７０は、ステッピングモータ（図示せず）によるパルス制御によりピペット部（図示せず）を上下方向に移動させるように構成されている。また、検体分注アーム７０のピペット部の先端には、検体の液面を検知するためのセンサ（図示せず）が設けられている。これにより、試薬残量計測時には、試薬容器３００に収容された残量計測対象の試薬の液面をセンサにより検知する。これにより、液面を検知するまでのパルス数と１パルス分の移動量とによって試薬容器３００における試薬の液面の高さを算出することが可能である。
【０１１４】
第１光学的情報取得部８０は、試薬を添加する前の検体中の干渉物質（乳び、ヘモグロビンおよびビリルビン）の有無およびその濃度を測定するために、検体から光学的な情報を取得するように構成されている。具体的には、後述するランプユニット９０から照射される５種類の光（３４０ｎｍ、４０５ｎｍ、５７５ｎｍ、６６０ｎｍおよび８００ｎｍ）の内の４種類の光（４０５ｎｍ、５７５ｎｍ、６６０ｎｍおよび８００ｎｍ）を用いて、干渉物質の有無およびその濃度を測定している。なお、４０５ｎｍの波長を有する光は、乳び、ヘモグロビンおよびビリルビンのいずれにも吸収される光である。すなわち、４０５ｎｍの波長を有する光により測定された光学的な情報には、乳び、ヘモグロビンおよびビリルビンの影響が寄与している。また、５７５ｎｍの波長を有する光は、ビリルビンには実質的に吸収されず、かつ、乳びおよびヘモグロビンに吸収される光である。すなわち、５７５ｎｍの波長を有する光により測定された光学的な情報には、乳びおよびヘモグロビンの影響が寄与している。そして、６６０ｎｍおよび８００ｎｍの波長を有する光は、ビリルビンおよびヘモグロビンには実質的に吸収されず、かつ、乳びに吸収される光である。すなわち、６６０ｎｍおよび８００ｎｍの波長を有する光により測定された光学的な情報には、乳びの影響が寄与している。また、乳びは、底波長域の４０５ｎｍから高波長域の８００ｎｍまでの波長の光を吸収しており、６６０ｎｍの波長を有する光の方が、８００ｎｍの波長を有する光に比べて、乳びによる吸収が多い。すなわち、８００ｎｍの波長を有する光で測定した光学的な情報の方が、６６０ｎｍの波長を有する光で測定した光学的な情報より、乳びの影響が小さい。
【０１１５】
この第１光学的情報取得部８０による検体の光学的な情報の取得は、第２光学的情報取得部１３０による検体の光学的な測定（本測定）の前に行われる。第１光学的情報取得部８０は、キュベット搬送テーブル６１のキュベット保持部６２に保持されたキュベット２００内の検体から光学的な情報（検体の透過光による情報）を取得する。
【０１１６】
また、第１光学的情報取得部８０は、制御装置４の制御部４ａに電気的に接続されており、第１光学的情報取得部８０において取得されたデータ（光学的な情報）を制御装置４の制御部４ａに送信する。これにより、制御装置４において、第１光学的情報取得部８０からのデータの分析（解析）が行われることにより、分岐光ファイバ９１から出射される５種類の光に対するキュベット２００内の検体の吸光度が求められるとともに、検体中の干渉物質の有無やその濃度などが分析される。そして、本実施形態では、検体中の干渉物質の有無やその濃度などに基づいて、後述する第２光学的情報取得部１３０で測定した光学的な情報を分析するか否かが判断される。
【０１１７】
ランプユニット９０は、図５に示すように、第１光学的情報取得部８０および第２光学的情報取得部１３０で行われる光学的な測定に用いられる５種類の波長を有する光（３４０ｎｍ、４０５ｎｍ、５７５ｎｍ、６６０ｎｍおよび８００ｎｍ）を供給するために設けられている。すなわち、１つのランプユニット９０が、第１光学的情報取得部８０および第２光学的情報取得部１３０に対して共通に用いられるように構成されている。また、ランプユニット９０の光は、分岐光ファイバ９１および分岐光ファイバ９２によって、それぞれ、第１光学的情報取得部８０および第２光学的情報取得部１３０に供給される。
【０１１８】
加温部１００は、保温可能なプレート１０１からなり、１０個の凹形状のキュベット保持部１０１ａが設けられている。各キュベット保持部１０１ａは、それぞれ、１つのキュベット２００を保持可能であり、検体が分注されたキュベット２００をキュベット保持部１０１ａに数分間保持することによって、キュベット２００内の検体を約３７℃に加温する機能を有する。また、加温部１００で加温された検体は、加温が終了してから一定時間内に試薬の分注および測定が行われる。これにより、検体、および、検体と試薬とから調製される測定試料の変質を抑制するとともに、測定結果を安定させることが可能である。
【０１１９】
また、キュベット移送部１１０は、キュベット２００を、キュベット搬送部６０と、保温部１１０と、第２光学的情報取得部１３０との間を移送させるために設けられている。キュベット移送部１１０は、キュベット２００を把持する移送用キャッチャ部１１１と、移送用キャッチャ部１１１を移動させるための駆動部１１２とを含む。移送用キャッチャ部１１１は、駆動部１１２の駆動により移動領域１１０ａ内を移動可能であり、キュベット搬送部６０と、加温部１００と、第２光学的情報取得部１３０の測定用載置部１３１との間でキュベット２００の移送を行う。また、移送用キャッチャ部１１１には振動機能が設けられており、キュベット２００を把持した状態でキュベット２００を振動させることにより、キュベット２００内の検体と試薬とを攪拌することが可能である。
【０１２０】
試薬分注アーム１２０は、図３〜図５に示すように、試薬保存部６に載置された試薬容器３００内の試薬をキュベット２００に分注することにより、キュベット２００内の検体に試薬を混合するために設けられている。具体的には、前述した試薬保存部６の外壁部２０の穴部２２ａ、２２ｂまたは２２ｃ（図３参照）を介して試薬の吸引を行い、加温（３７℃）が完了したキュベット２００を移送用キャッチャ部１１１が加温部１００のキュベット保持部１０１ａから取り出し、把持した状態で、吸引した試薬をキュベット２００に分注する。なお、試薬分注アーム１２０のピペット部１２１には加温機能が設けられており、吸引された試薬は、瞬間的に約３７℃に加温される。すなわち、試薬保存部６で低温（約１０℃）保存されている試薬は、試薬分注アーム１２０によって約３７℃に加温された状態で、加温が完了した約３７℃の検体と混合される。このように、第１光学的情報取得部８０による光学的な測定が終了した検体に試薬を添加して測定用試料が調製される。
【０１２１】
ここで、試薬分注アーム１２０は、分注動作を行う際に、ステッピングモータ（図示せず）によるパルス制御によりピペット部１２１を上下方向に移動させるように構成されている。また、試薬分注アーム１２０のピペット部１２１の先端には、試薬容器３００から試薬を吸引する際に、試薬の液面を検知するためのセンサ（図示せず）が設けられている。これにより、試薬の液面を検知するまでのパルス数と１パルス分の移動量とによって試薬容器３００における試薬の液面の高さを算出することが可能である。試薬の液面の高さの算出手順については、後に詳細に説明する。
【０１２２】
ここで、試薬分注アーム１２０の動作中に試薬の交換が指示された場合に、指定された試薬が含まれる試薬テーブルから分注対象の試薬の分注作業が行われている場合には、指定された試薬が含まれる試薬テーブルからの試薬分注アーム１２０による分注対象の試薬の分注作業が停止される。この場合、分注対象の試薬が指定された試薬が含まれる試薬テーブルと別の試薬テーブルにも含まれる場合には、試薬分注アーム１２０は、指定された試薬が含まれる試薬テーブルの分注対象の試薬の分注作業を停止し、もう一方の試薬テーブルに含まれる分注対象の試薬から分注作業を継続する。また、分注対象の試薬が、交換が指示された試薬が含まれる試薬テーブルにのみ配置されている場合には、試薬分注アーム１２０は、交換指示のときに加温部１００において加温中の検体（試薬分注待機中の検体）に対する分注対象の試薬の分注を終了させてから分注動作を行わないように構成されている。これにより、交換指示時に加温部１００において加温中の検体も、加温後、一定時間内に測定が行われる。
【０１２３】
第２光学的情報取得部１３０は、測定用試料から光学的な情報を測定するための機能を有している。この第２光学的情報取得部１３０は、図５に示すように、測定用載置部１３１と、測定用載置部１３１の下方に配置された検出部１３２とにより構成されている。
【０１２４】
また、第２光学的情報取得部１３０の検出部１３２は、キュベット２００内の測定用試料に対して複数の条件下で光学的な測定（本測定）を行うことが可能なように構成されている。また、第２光学的情報取得部１３０は、制御装置４の制御部４ａに電気的に接続されており、取得したデータ（光学的な情報）を制御装置４の制御部４ａに送信する。これにより、制御装置４において、予め取得済みの第１光学的情報取得部８０からのデータ（光学的な情報）の分析結果に基づいて、第２光学的情報取得部１３０から送信されたデータ（光学的な情報）が分析されて、表示部４ｂに表示される。
【０１２５】
なお、分岐光ファイバ９２から照射される６６０ｎｍの波長を有する光は、Ｆｂｇ（フィブリノーゲン量）、ＰＴ（プロトロンビン時間）およびＡＰＴＴ（活性化部分トロンボプラスチン時間）を測定する際に用いられるメイン波長である。また、８００ｎｍの波長を有する光は、Ｆｂｇ、ＰＴおよびＡＰＴＴを測定する際に用いられるサブ波長である。合成基質法の測定項目であるＡＴＩＩＩの測定波長は４０５ｎｍであり、免疫比濁法の測定項目であるＤダイマーおよびＦＤＰの測定波長は８００ｎｍである。また、血小板凝集の測定波長は、５７５ｎｍである。
【０１２６】
緊急検体セット部１４０は、図３〜図５に示すように、緊急を要する検体に対しての検体分析処理を行うために設けられている。この緊急検体セット部１４０は、搬送機構部３から供給された検体に対しての検体分析処理が行われている際に、緊急検体を割り込ませることが可能なように構成されている。また、緊急検体セット部１４０は、Ｘ方向にスライド可能であり、希釈液および洗浄液が収容された容器（図示せず）を保持するための５つの保持部１４１が設けられている。また、希釈液および洗浄液が収容された容器（図示せず）には、バーコード（図示せず）が貼付されている。希釈液および洗浄液のバーコードは、緊急検体セット部１４０がＸ方向にスライドされながら、バーコードリーダ３５１によって読み取られるように構成されている。これにより、希釈液および洗浄液の種類、配置などが試薬管理画面４１０の希釈・洗浄液マーク４２３として表示されるように構成されている。また、図１および図２に示すように、検体分析装置１の交換部７の前面側には、蓋部１ｃが設けられている。この蓋部１ｃを介して、希釈液および洗浄液が収容された容器（図示せず）の交換または追加が行われる。
【０１２７】
また、流体部１５０は、検体分析装置１のシャットダウン処理の際に、各分注アーム（検体分注アーム７０および試薬分注アーム１２０）に設けられるノズルに洗浄液などの液体を供給するために設けられている。
【０１２８】
また、キュベット供給機構部１６０は、ユーザによって無造作に投入された複数のキュベット２００をキュベット搬送部６０に順次供給することが可能なように構成されている。このキュベット供給機構部１６０は、図３〜図５に示すように、第１ホッパ１６１ａと、第１ホッパ１６１ａからキュベット２００が供給されるとともに、第１ホッパ１６１ａよりも小さい第２ホッパ１６１ｂと、第２ホッパ１６１ｂからキュベット２００が供給される２つの誘導板１６２と、２つの誘導板１６２の下端に配置された支持台１６３と、支持台１６３から所定の間隔を隔てて設けられた供給用キャッチャ部１６４とを含んでいる。第１ホッパ１６１ａ内に供給されたキュベット２００は、第１ホッパ１６１ａよりも小さい第２ホッパ１６１ｂを介して、誘導板１６２上を、支持台１６３に向かって滑り落ちながら移動するように構成されている。また、支持台１６３は、誘導板１６２を滑り落ちて移動したキュベット２００を、供給用キャッチャ部１６４が把持可能な位置まで回転移送する機能を有している。そして、供給用キャッチャ部１６４は、支持台１６３により回転移送されたキュベット２００をキュベット搬送部６０に供給するために設けられている。
【０１２９】
また、図３〜図５に示すように、測定機構部２には、上述した供給用キャッチャ部１６４から所定の間隔を隔てて、キュベット２００を廃棄するための廃棄用孔１７１（図３および図５参照）と、廃棄用孔１７１の下方に設置された廃棄ボックス１７２とが設けられている。上述した供給用キャッチャ部１６４は、キュベット搬送部６０のキュベット搬送テーブル６１上のキュベット２００を、廃棄用孔１７１（図３および図５参照）を介して廃棄ボックス１７２に廃棄することが可能である。すなわち、供給用キャッチャ部１６４は、キュベット２００の供給と廃棄との両方を行うことが可能である。
【０１３０】
次に、図４および図５を参照して、検体分析装置１の検体の分析動作について詳細に説明する。なお、ここでは、凝固時間法を用いた測定における動作について説明する。
【０１３１】
まず、図４に示した検体分析装置１の測定機構部２および制御装置４の電源をそれぞれオン状態にすることにより、検体分析装置１の初期設定が行われる。これにより、キュベット２００を移動させるための機構と各分注アーム（検体分注アーム７０および試薬分注アーム１２０）とを初期位置に戻すための動作や、制御装置４の制御部４ａに記憶されているソフトウェアの初期化などが行われる。
【０１３２】
そして、図５に示した搬送機構部３によって、検体を収容した試験管２５０が載置されたラック２５１の搬送が行われる。これにより、ラックセット領域３ａのラック２５１が測定機構部２の吸引位置２ａに対応する位置まで搬送される。
【０１３３】
そして、検体分注アーム７０により試験管２５０から所定量の検体の吸引が行われる。そして、検体分注アーム７０をキュベット搬送部６０のキュベット搬送テーブル６１に保持されたキュベット２００の上方に移動させる。その後、検体分注アーム７０からキュベット搬送テーブル６１のキュベット２００内に検体が吐出されることにより、キュベット２００内に検体が分取される。
【０１３４】
そして、キュベット搬送テーブル６１を回転させて、検体が分注されたキュベット２００を第１光学的情報取得部８０による測定が可能な位置に搬送する。これにより、第１光学的情報取得部８０による検体に対する光学的な測定が行われて、検体から光学的な情報が取得される。具体的には、キュベット搬送テーブル６１のキュベット保持部６２（図５参照）に保持されたキュベット２００内の検体を透過した５種類（３４０ｎｍ、４０５ｎｍ、５７５ｎｍ、６６０ｎｍおよび８００ｎｍ）の光による電気信号のデータを制御装置４の制御部４ａに送信する。これにより、第１光学的情報取得部８０による検体に対する光学的な情報（第１光学的情報）の取得が完了する。
【０１３５】
そして、制御装置４の制御部４ａは、受信したデータ（第１光学的情報）を用いて、検体の吸光度を算出するとともに、検体中の干渉物質（乳び、ヘモグロビン、ビリルビン）の有無およびその濃度を算出する。具体的には、ランプユニット９０から照射される４種類（４０５ｎｍ、５７５ｎｍ、６６０ｎｍおよび８００ｎｍ）の光を用いて取得された光学的な情報（第１光学的情報）に基づいて、制御装置４の制御部４ａは、検体の吸光度を算出し、この吸光度をＲＡＭ４０１ｃに記憶する。
【０１３６】
その後、ＲＡＭ４０１ｃに記憶されている吸光度のうち、メイン波長での吸光度が閾値以下か否かが判断される。具体的には、検体の検査項目が「ＰＴ」、「ＡＰＴＴ」、「Ｆｂｇ」などの凝固時間法の検査項目の場合には、これらの項目のメイン波長である６６０ｎｍを有する光を照射して測定された第１光学的情報から算出した吸光度が閾値（たとえば、２．０）以下か否かが判断される。
【０１３７】
そして、第１光学的情報取得部８０で測定された第１光学的情報から算出したメイン波長での吸光度が閾値以下の場合には、キュベット２００は、キュベット移送部１１０により、キュベット搬送テーブル６１から加温部１００に移送される。そして、加温部１００において約３７℃になった検体を収容したキュベット２００は、キュベット移送部１１０の移送用キャッチャ部１１１によって把持される。そして、移送用キャッチャ部１１１によってキュベット２００が把持された状態で、試薬分注アーム１２０を駆動させて、試薬テーブル（第１試薬テーブル１１または第２試薬テーブル１２）に載置された試薬容器３００内の試薬をキュベット２００内の検体に添加する。この状態で、移送用キャッチャ部１１１の振動機能により、キュベット２００内の検体および試薬が攪拌される。これにより、測定用試料の調製が行われる。そして、そのまま、キュベット移送部１１０により、測定用試料が収容されたキュベット２００を第２光学的情報取得部１３０の測定用載置部１３１に移動させる。
【０１３８】
そして、第２光学的情報取得部１３０の検出部１３２によりキュベット２００内の測定用試料に対して複数の条件下で光学的な測定（本測定）が行われることによって、測定用試料から光学的な情報（第２光学的情報）が取得される。具体的には、まず、測定用載置部１３１のキュベット２００へ、ランプユニット９０の分岐光ファイバ９２から光が照射される。なお、分岐光ファイバ１３２からは、５つの異なる波長（３４０ｎｍ、４０５ｎｍ、５７５ｎｍ、６６０ｎｍおよび８００ｎｍ）の光が照射される。これにより、分岐光ファイバ９２から照射され、キュベット２００およびキュベット２００内の測定用試料を透過した上記各波長の光に対応する電気信号のデータが取得される。
【０１３９】
そして、５つの異なる波長の光に対応する電気信号のデータが、制御装置４の制御部４ａに順次送信される。これにより、第２光学的情報取得部１３０によって測定用試料に対する光学的な情報（第２光学的情報）の取得が完了する。
【０１４０】
一方、第１光学的情報取得部８０で測定された第１光学的情報から算出したメイン波長での吸光度が閾値より大きい場合には、第１光学的情報取得部８０で測定された第１光学的情報から算出したサブ波長での吸光度が閾値以下か否かが判断される。具体的には、検体の検査項目が「ＰＴ」、「ＡＰＴＴ」、「Ｆｂｇ」などの凝固時間法の検査項目の場合には、これらの項目のサブ波長である８００ｎｍを有する光を照射して測定された第１光学的情報から算出した吸光度が閾値（たとえば、２．０）以下か否かが判断される。
【０１４１】
そして、第１光学的情報取得部８０で測定された第１光学的情報から算出したサブ波長での吸光度が閾値以下の場合には、第２光学的情報取得部１３０によって測定用試料に対する光学的な情報（第２光学的情報）を取得する。
【０１４２】
また、一方、第１光学的情報取得部８０で測定した第１光学的情報から算出したサブ波長での吸光度が閾値より大きい場合には、検体に含有される干渉物質（ビリルビン、ヘモグロビンおよび乳び）の影響が大きいため信頼性の高い分析を行うことが困難であると判断して、本測定を中止する。これにより、干渉物質の影響を顕著に受けた分析不能な検体に対して、試薬を添加して測定用試料を調製することがないので、試薬が無駄になるのを抑制することが可能となる。なお、信頼性の高い測定を行うことが困難な場合（本測定を中止する場合）として、第１光学的情報取得部８０で検出した検体中に干渉物質が多量に存在することにより、検体を透過する光が遮られて、検体を透過する透過光を実質的に検出できない場合などが挙げられる。
【０１４３】
そして、上記した第２光学的情報取得部１３０による第２光学的情報の取得（本測定）の後、第２光学的情報取得部１３０において測定された複数の第２光学的情報の中からメイン波長で測定した測定用試料の第２光学的情報が制御装置４の制御部４ａに送信されて、その制御部４ａのハードディスク４０１ｄにインストールされるアプリケーションプログラム４０４ａにより分析される。たとえば、検体の検査項目が「ＰＴ」の場合には、まず、「ＰＴ」のメイン波長である６６０ｎｍを有する光を照射して測定された第２光学的情報が制御装置４の制御部４ａに送信される。その後、メイン波長で取得された第２光学的情報を受信した制御部４ａが、その第２光学的情報に基づいて、分析結果を出力する。
【０１４４】
また、同様にして、上記した第２光学的情報取得部１３０による第２光学的情報の取得（本測定）の後、第２光学的情報取得部１３０において測定された複数の第２光学的情報の中からサブ波長で測定した測定用試料の第２光学的情報が制御装置４の制御部４ａに送信されて、その制御部４ａのハードディスク４０１ｄにインストールされるアプリケーションプログラム４０４ａにより分析される。具体的には、検体の検査項目が「ＰＴ」の場合には、まず、「ＰＴ」のサブ波長である８００ｎｍを有する光を照射して測定された第２光学的情報が制御装置４の制御部４ａに送信される。その後、サブ波長で取得された第２光学的情報を受信した制御部４ａが、その第２光学的情報に基づいて、分析結果を出力する。
【０１４５】
そして、制御装置４の制御部４ａによる分析が終了した後には、得られた分析結果を制御装置４の表示部４ｂに表示する。このようにして、検体分析装置１の検体の分析動作が終了する。
【０１４６】
図２２は、本実施形態による検体分析装置の制御装置および測定機構部の測定処理フローを説明するためのフローチャートである。次に、図７、図２２を参照して、本実施形態による検体分析装置１の制御装置４と測定機構部２との測定処理フローを説明する。
【０１４７】
まず、ユーザが、試薬保存部６に全ての試薬をセットした後、測定機構部２の電源（図示しない）を入れると、ステップＳ１において、制御部５０１の初期化（プログラムの初期化）が行われるとともに、測定機構部２の各部の動作チェックが行われる。そして、ユーザが制御装置４の電源（図示しない）を入れると、ステップＳ１１において、制御部４ａの初期化（プログラムの初期化）が行われる。なお、制御部５０１の初期化が完了すると、制御部５０１は、制御部４ａの初期化完了を示す初期完了信号を要求し、初期化完了信号を受信すると、試薬保存部６にセットされた全ての試薬のバーコードおよび試薬ラックのバーコードを読み取るように試薬バーコード３５０を制御する。読み取られたバーコード情報は、制御部５０１から制御部４ａに送信され、制御部４ａのハードディスク４０１ｄに記憶される。
【０１４８】
次に、ステップＳ１２において、表示部４ｂにメニュー画面（図示せず）が表示され、ユーザがメニュー画面に表示されたスタートボタンを押すことにより、ステップＳ１３において、測定開始信号が制御部４ａから制御部５０１へ送信される。ステップＳ１２において、スタートボタンが押されなかった場合には、ステップＳ１９に進む。
【０１４９】
次に、ステップＳ２において、制御部５０１によって、測定開始信号の受信が行われたか否かが判断され、測定開始信号の受信が行われたと判断された場合には、ステップＳ３に進み、測定開始信号の受信が行われなかったと判断された場合には、ステップＳ６に進む。
【０１５０】
次に、ステップＳ３において、キュベット２００に分注された検体に試薬を分注する処理が行われるとともに、試薬の吸引が行なわれる際に液面検知が行われ、液面検知情報が取得され、その液面検知情報は制御部５０１から制御部４ａに送信される。そして、ステップＳ４において、第１光学的情報取得部８０と第２光学的情報取得部１３０で、試薬が分注された検体の測定が行われ、ステップＳ５において、測定結果が、制御部５０１から制御部４ａに送信される。
【０１５１】
次に、ステップＳ１４において、制御部４ａによって、液面検知情報の受信が行われたか否かが判断され、液面検知情報の受信が行われた場合には、ステップＳ１５に進み、液面検知情報の受信が行われなかった場合には、この判断が繰り返される。そして、ステップＳ１５において、制御部４ａによって、試薬の残量・残テスト数取得処理が行われる。残量・残テスト数取得処理は後述するが、液面検知情報に基づいて、試薬残量を算出するとともに試薬残量に基づいて残テスト数を算出し、試薬残量および残テスト数をハードディスク４０１ｄの試薬情報データベース３６に記憶する処理である。
【０１５２】
次に、ステップＳ１６において、制御部４ａによって、測定結果の受信が行われたか否かが判断され、測定結果の受信が行われた場合には、ステップＳ１７に進み、測定結果の受信が行われなかった場合には、この判断が繰り返される。そして、ステップＳ１７において、制御部４ａによって、測定結果の分析が行われ、ステップＳ１８において、その分析結果がハードディスク４０１ｄに記憶される。
【０１５３】
次に、ステップＳ１９において、制御部４ａによって、試薬管理画面４１０が表示部４ｂに表示されているか否かが判断され、試薬管理画面４１０が表示部４ｂに表示されていない場合には、ステップＳ２０に進み、試薬管理画面４１０が表示部４ｂに表示されている場合には、ステップＳ２２に進む。そして、ステップＳ２０において、制御部４ａによって、試薬管理画面４１０の表示指示が行われたか否か（メニュー画面の試薬管理画面４１０を表示するための試薬ボタン（図示せず）が押されたか否か）が判断され、試薬管理画面４１０の表示指示が行われた場合には、ステップＳ２１に進み、試薬管理画面４１０の表示指示が行われなかった場合には、ステップＳ２４に進む。そして、ステップＳ２１において、制御部４ａによって、試薬管理画面４１０の表示が行われる。これにより、図７に示した試薬管理画面４１０が表示部４ｂに表示されるとともに、試薬管理画面４１０に表示された第１試薬マーク４２１、第２試薬マーク４２２、希釈・洗浄液マーク４２３、選択受付領域４２８および試薬詳細情報表示領域４３０に必要な情報が反映される。なお、この試薬管理画面４１０の表示処理については後述する。そして、ステップＳ２２において、制御部４ａによって、試薬管理画面４１０における切替表示処理が実行される。なお、この試薬管理画面４１０における切替表示処理の詳細についても、後述する。
【０１５４】
そして、ステップＳ２３において、試薬交換処理が行われる。この試薬交換処理は、後に詳細に説明する。
【０１５５】
次に、ステップＳ２４において、制御部４ａによって、シャットダウンの指示が行われたか否か（メニュー画面からシャットダウンボタン（図示せず）が押されたか否か）が判断され、シャットダウンの指示が行われたと判断された場合には、ステップＳ２５に進み、シャットダウンの指示が行われなかったと判断された場合には、ステップＳ１２に戻る。そして、ステップＳ２５において、シャットダウン信号が制御部４ａから制御部５０１へ送信されるとともに、制御装置４のシャットダウンが行われ、処理が終了する。
【０１５６】
次に、ステップＳ６において、制御部５０１によって、試薬交換信号の受信が行われたか否かが判断され、試薬交換信号の受信が行われたと判断された場合には、ステップＳ７に進み、試薬交換信号の受信が行われなかったと判断された場合には、ステップＳ８に進む。そして、ステップＳ７において、制御部５０１によって、試薬交換処理が行われる。
【０１５７】
次に、ステップＳ８において、シャットダウン信号の受信が行われたか否かが判断され、シャットダウン信号の受信が行われたと判断された場合には、ステップＳ９に進み、シャットダウン信号の受信が行われなかったと判断された場合には、ステップＳ２に戻る。そして、ステップＳ９において、測定機構部２のシャットダウンが行われ、処理が終了する。
【０１５８】
なお、測定機構部部２の測定処理フローおいて、ステップＳ３と、ステップＳ４と、ステップＳ７とは、並列処理されている。また、制御部装置４の測定処理フローおいて、ステップＳ１５と、ステップＳ１７と、ステップＳ２２と、ステップＳ２３とは並列処理されている。
【０１５９】
図２３は、図２２に示すフローチャートのステップＳ１において実行される測定機構部の初期化処理の詳細を説明するためのフローチャートである。次に、図１５〜図１８および図２３を参照して、本実施形態による検体分析装置１の測定機構部２の初期化処理を説明する。
【０１６０】
まず、ステップＳ３１において、プログラムの初期化が行われる。そして、ステップＳ３２において、測定機構部２の各部の動作チェックが行われる。次に、ステップＳ３３において、試薬テーブル（第１試薬テーブル１１および第２試薬テーブル１２）の原点出しが行われる。その後、ステップＳ３４において、ラック（第１試薬容器ラック３１０および第２試薬容器ラック３２０）のバーコード３１１ｂ、３１１ｃ、３１２ｂ、３１２ｃ、３２１ｂ〜３２６ｂおよび３２１ｃ〜３２６ｃと、ラックに保持された試薬容器３００のバーコード３００ａ（図１５〜図１８参照）の読取が行われるとともに、ステップＳ３５において、バーコード読取日時が検出される。この後、ステップＳ３６において、バーコード読取情報およびバーコード読取日時が制御装置４に送信されて、測定機構部２の初期化処理が終了する。
【０１６１】
図２４は、図２２に示したフローチャートのステップＳ１１において実行される制御装置の初期化処理の詳細を説明するためのフローチャートである。次に、図２４を参照して、本実施形態による検体分析装置１の制御装置４の初期化処理を説明する。
【０１６２】
まず、ステップＳ４１において、プログラムの初期化が行われる。そして、ステップＳ４２において、測定機構部２の制御部５０１からバーコード読取情報およびバーコード読取日時を受信したか否かが判断される。バーコード読取情報およびバーコード読取日時を受信していない場合には、この判断が繰り返される。バーコード読取情報およびバーコード読取日時を受信した場合には、ステップＳ４３において、バーコード読取情報、試薬テーブルおよびバーコード読取日時に基づいて、試薬詳細情報（ホルダ番号、試薬名、試薬のセット日およびセット時刻など）を取得する。なお、制御部４ａは、試薬がセットされたセット日およびセット時刻を、バーコード読取日時により特定する。次に、ステップＳ４４において、上記試薬詳細情報をハードディスク４０１ｄの試薬情報データベース３６に記憶する。なお、試薬情報データベース３６には、検体分析装置１を前回シャットダウンする前に試薬保存部６に配置されていた試薬の情報が格納されているため、前回と同じ位置に同じ試薬がセットされている場合には、それらの試薬については、制御部４ａは、試薬情報データベース３６の試薬詳細情報をそのまま保存しておく。一方、前回とは異なる位置にセットされた試薬、または、今回新たにセットされた試薬については、試薬情報データベース３６における対応するレコードの試薬詳細情報を削除し、今回新たに取得した試薬詳細情報を試薬情報データベース３６に格納する。これにより、試薬情報データベース３６には、試薬保存部６における試薬の配置状態を反映した試薬詳細情報が格納される。このようにして、制御装置４の初期化処理が終了する。
【０１６３】
図２５は、図２２に示すフローチャートのステップＳ３において実行される測定機構部の分注処理の詳細を説明するためのフローチャートである。図２６は、試薬の残量の算出方法を説明するための図である。次に、図３、図２５および図２６を参照して、本実施形態による検体分析装置１の測定機構部２の制御部５０１の分注処理フローを説明する。
【０１６４】
まず、図２５に示すステップＳ５１において、制御部５０１によって、検体バーコードリーダ３ｃが制御されることにより、搬送機構部３によって搬送された検体を収容する試験管２５０に貼付されたバーコードが読み取られる。そして、ステップＳ５２において、制御部５０１によって、読み取られたバーコード情報に基づいてオーダが取得され、ステップＳ５３に進む。ステップＳ５３において、制御部５０１によって、第１試薬テーブル１１または第２試薬テーブル１２の試薬交換ステータスがオンにセットされているか否かが判断される。この処理は、制御部５０１が試薬交換対象テーブルの駆動回路が内蔵するステータスレジスタを確認することによって行われる。ステップＳ５３において、第１試薬テーブル１１および第２試薬テーブル１２のいずれか一方の試薬交換ステータスがオンにセットされていると判断された場合には、ステップＳ５４に進む。また、ステップＳ５３において、いずれの試薬交換ステータスもオンにセットされていないと判断された場合には、ステップＳ５６に進む。ここで、オーダについて以下に説明する。オーダとは、検体を特定する情報に対応付けられた分析項目を含む情報である。オーダは、制御装置４に接続されたホストコンピュータ（図示せず）に登録されたり、制御装置４にユーザがマニュアル入力することで記憶されるようになっている。検体のバーコード情報を取得した後、制御装置４は、内部に記憶しているオーダから該当するものを検索したり、ホストコンピュータへ検体ＩＤをキーとして問い合わせたりすることでオーダを取得する。制御装置４で取得されたオーダは、制御装置４の制御部４ａから測定機構部２の制御部５０１へ送信され、制御部５０１はオーダを取得する。
【０１６５】
次に、ステップＳ５６において、制御部５０１によって、オーダに従って検体分注駆動部７０ａが制御され、検体分注アーム７０によって、搬送機構部３により搬送された試験管２５０に収容される検体が吸引されるとともに、吸引された検体をキュベット搬送テーブル６１のキュベット保持部６２に保持されたキュベット２００内に分注される。そして、ステップＳ５７において、制御部５０１によって、試薬分注駆動部１２０ａが制御され、試薬分注アーム１２０によって、試薬保存部６の外壁部２０の穴部２２ａ、２２ｂまたは２２ｃ（図３参照）を介して試薬の吸引が行なわれ、吸引された試薬は、加温が完了したキュベット２００に分注される。なお、ステップＳ５７において、図２６に示すように、試薬分注アーム１２０のピペット部１２１が試薬を吸引するための初期位置（高さＨ１）から下方に移動する。このピペット部１２１は、ステッピングモータで駆動され、ステッピングモータに１パルス入力される毎に移動距離Ｄ移動される。そして、試薬の液面にピペット部１２１の先端に設けられたセンサによって試薬の液面が検知される。また、センサが試薬の液面を検知したときの液面検知情報のひとつであるパルス数Ｐが取得される。取得された液面検知情報は、ステップＳ５８において、制御部５０１により、制御装置４に送信される。
【０１６６】
次に、ステップＳ５３において、制御部５０１によって、第１試薬テーブル１１および第２試薬テーブル１２のいずれか一方の試薬交換ステータスがオンにセットされていると判断された場合には、ステップＳ５４において、取得したオーダで指定された分析項目が試薬交換対象テーブルの試薬を使用するか否かが判断される。ステップＳ５４において、取得したオーダで指定された分析項目が試薬交換対象テーブルの試薬を使用しないと判断された場合には、ステップＳ５６、Ｓ５７に進み、前述した処理が行われる。また、取得したオーダで指定された分析項目が試薬交換対象テーブルの試薬を使用すると判断された場合には、ステップＳ５５において、取得したオーダを保留する。そして、取得したオーダで指定された分析項目が試薬交換対象テーブルの試薬を使用しないと判断されるまで、ステップＳ５１〜ステップＳ５５が繰り返される。なお、保留されたオーダは、取得したオーダで指定された分析項目が試薬交換対象テーブルの試薬を使用しないと判断された場合には、順番にステップＳ５６、Ｓ５７、Ｓ５８の処理が実行される。
【０１６７】
図２７は、図２２に示すフローチャートのステップＳ１５において実行される制御装置の試薬残量・残テスト数取得処理の詳細を説明するためのフローチャートである。次に、図２６および図２７を参照して、試薬の残量および残テスト数を算出する処理について説明する。
【０１６８】
まず、図２７に示すステップＳ６１において、制御部４ａによって、受信した液面検知情報に基づいて、液面の高さを算出する。なお、液面検知情報には、前述した液面を検知したときのパルス数Ｐと距離Ｄとを含む。また、制御部４ａによって、容器マスタが参照され、容器ＩＤに基づいて試薬容器が特定され、特定された試薬容器の水平方向の内面積Ｓが取得される。また、試薬マスタが参照され、試薬ＩＤに基づいて試薬名が取得される。そして、図２６に示すように、制御部４ａによって、以下の式（１）によって液面の高さＨが求められる。
【０１６９】
Ｈ（液面の高さ）  ＝  Ｈ１（初期位置の高さ）  −  Ｐ（パルス数）×Ｄ（１パルスの移動距離）・・・（１）
次に、ステップＳ６２において、取得した試薬容器の内面積Ｓと取得した試薬の液面の高さＨとにより、制御部４ａによって、以下の式（２）によって、試薬の残量Ｔが算出される。
【０１７０】
Ｔ（残量）  ＝  Ｈ（液面の高さ）×Ｓ（試薬容器の内面積）・・・（２）
次に、ステップＳ６３において、制御部４ａは、算出された試薬残量Ｔを、ハードディスク４０１ｄの試薬情報データベース３６における対応するレコードの「使用可能量」のフィールドに記憶する。なお、制御部４ａは、上記レコードの「使用可能量」のフィールドに既に試薬残量のデータが格納されている場合には、そのデータを削除し、今回算出された試薬残量Ｔを新たに格納する。
【０１７１】
次に、ステップＳ６４において、制御部４ａによって、試薬マスタを参照することにより、一回の測定に使用される試薬の使用量が読み出される。そして、ステップＳ６５において、一回の測定に使用される試薬の使用量と、試薬情報データベース３６に記憶された試薬の残量Ｔとに基づいて、残テスト数を算出するとともに、ステップＳ６６において、算出した残テスト数を、ハードディスク４０１ｄの試薬情報データベース３６における対応するレコードの「残テスト数」のフィールドに記憶する。なお、制御部４ａは、上記レコードの「残テスト数」のフィールドに既に残テスト数のデータが格納されている場合には、そのデータを削除し、今回算出された残テスト数を新たに格納する。測定が行われる毎に、上記ステップＳ６１〜Ｓ６６が繰り返される。
【０１７２】
図３１は、図２２に示すフローチャートのステップＳ２１において実行される制御装置の試薬管理画面の表示処理を説明するためのフローチャートである。次に、図２２および図３１を参照して、試薬管理画面の表示処理について説明する。
【０１７３】
図３１に示すように、まず、ステップＳ１１１において、制御部４ａによって、ハードディスク４０１ｄの試薬情報データベース３６に記憶された全ての試薬情報が読み出される。
【０１７４】
次に、図３１に示すように、ステップＳ１１２において、制御部４ａによって、前回の試薬管理画面４１０の表示時に試薬管理画面４１０の選択受付領域４２８の各アイコン（付加情報なしアイコン４２８ａ、経過時間アイコン４２８ｂ、試薬残量アイコン４２８ｃおよび残テスト数アイコン４２８ｄ）の内、どのアイコンが選択されていたかを示す情報がハードディスク４０１ｄに記憶されているか否かが判断される。そして、選択受付領域４２８のいずれのアイコンが選択されていたかの情報がハードディスク４０１ｄに記憶されていた場合には、ステップＳ１１３に移行して、その選択内容（アイコンの選択）を反映した試薬管理画面４１０を表示部４ｂに表示する。すなわち、各試薬マーク（第１試薬マーク４２１、第２試薬マーク４２２および希釈・洗浄液マーク４２３）の付加情報表示部（４２１ｃ、４２２ｃおよび４２３ｃ）にハードディスク４０１ｄに記憶されていた情報に対応した試薬情報を表示する。これにより、例えば、検体分析装置１を起動して試薬管理画面を初めて表示する際に、検体分析装置１が前回シャットダウンされる前に試薬管理画面４１０の各付加情報表示部に表示されていた試薬情報と同一の試薬情報が表示される。その後、処理がリターンされる。一方、ステップＳ１１２において、選択受付領域４２８のどのアイコンが選択されていたかの情報がハードディスク４０１ｄに記憶されていない場合には、ステップＳ１１４に移行する。このステップＳ１１４では、制御部４ａにより、各付加情報表示部に試薬情報を表示せず、各試薬マークに「試薬名」のみが表示された状態の試薬管理画面４１０が表示される。その後、処理がリターンされる。
【０１７５】
図２８は、図２２に示すフローチャートのステップＳ２２において実行される制御装置の試薬管理画面における切替表示処理の詳細を説明するためのフローチャートである。次に、図７〜図１５および図２８を参照して、試薬管理画面４１０における切替表示処理フローについて説明する。なお、この切替表示処理は、試薬管理画面４１０における第１試薬マーク４２１、第２試薬マーク４２２および希釈・洗浄液マーク４２３の各々の付加情報表示部４２１ｃ、４２２ｃおよび４２３ｃに表示される試薬情報を、ユーザからの選択受付領域４２８での各アイコンの選択に応じて切替表示する処理である。
【０１７６】
まず、ステップＳ７１において、制御部４ａにより、試薬管理画面４１０の選択受付領域４２８において現在選択されているアイコンとは異なる他のアイコンが選択されたか否かが判断され、他のアイコンが選択された場合には、ステップＳ７２に進み、他のアイコンが選択されなかった場合には、処理をリターンする。そして、ステップＳ７２において、制御部４ａにより、ステップＳ７１において選択されたアイコンが経過時間アイコン４２８ｂであるか否かが判断される。ステップＳ７１において選択されたアイコンが経過時間アイコン４２８ｂである場合には、ステップＳ７３に移行する。また、ステップＳ７１において選択されたアイコンが経過時間アイコン４２８ｂでない場合には、ステップＳ７６に移行する。
【０１７７】
ステップＳ７３では、制御部４ａにより、ハードディスク４０１ｄの試薬情報データベース３６の全レコードのうち、「セット日」および「セット時刻」の各フィールドにセット日およびセット時間に関するデータが記憶されているレコードが検索され、それらのレコードの「セット日」および「セット時刻」の各フィールドに記憶されたデータが読み出される。次に、ステップＳ７４において、制御部４ａにより、現在の日時から、ステップＳ７３で読み出したセット日およびセット時刻を差し引くことにより、試薬保存部６に配置されている各試薬について、試薬保存部６にセットされてからの経過時間が算出される。その後、ステップＳ７５に移行して、図９および図１０に示すように、試薬配置表示領域４２０における各試薬マークの表示が「試薬名＋経過時間」に切り替えられる。なお、ステップＳ７２で「セット日」および「セット時刻」のデータが読み出されなかったレコードに対応する試薬マークについては経過時間が表示されない。試薬配置表示領域４２０における各試薬マーク（第１試薬マーク４２１、第２試薬マーク４２２および希釈・洗浄液マーク４２３）に試薬の経過時間情報が表示されると、処理がリターンされる。
【０１７８】
また、ステップＳ７２において、制御部４ａにより、ステップＳ７１において選択されたアイコンが経過時間アイコン４２８ｂでないと判断された場合には、ステップＳ７６において、制御部４ａにより、ステップＳ７１において選択されたアイコンが残テスト数アイコン４２８ｄであるか否かが判断される。ステップＳ７１において選択されたアイコンが残テスト数アイコン４２８ｄである場合には、ステップＳ７７に移行する。また、ステップＳ７１において選択されたアイコンが残テスト数アイコン４２８ｄでない場合には、ステップＳ７９に移行する。
【０１７９】
ステップＳ７７では、ハードディスク４０１ｄの試薬情報データベース３６の全レコードのうち、「残テスト数」のフィールドに残テスト数に関するデータが記憶されているレコードが検索され、それらのレコードの「残テスト数」のフィールドに記憶されたデータが制御部４ａによって読み出される。「残テスト数」のデータがハードディスク４０１ｄの試薬情報データベース３６から読み出されると、ステップＳ７８に移行して、図１３および図１４に示すように、試薬配置表示領域４２０における各試薬マークの表示が、「試薬名＋残テスト数」に切り替えられる。なお、各試薬マークにおいて、「残テスト数」が算出されていない残量不明（図１５参照）の試薬、誤配置マークＢ、有効期限切れマークＣおよびバーコード読み取りエラーマークＥが表示された試薬マークについては、残テスト数は表示されない。そして、試薬配置表示領域４２０における各試薬マーク（第１試薬マーク４２１、第２試薬マーク４２２および希釈・洗浄液マーク４２３）に試薬の残テスト数情報が表示されると、処理がリターンされる。
【０１８０】
また、ステップＳ７６において、制御部４ａにより、ステップＳ７１において選択されたアイコンが残テスト数アイコン４２８ｄでないと判断された場合には、ステップＳ７９において、制御部４ａにより、ステップＳ７１において選択されたアイコンが試薬残量アイコン４２８ｃであるか否かが判断される。ステップＳ７１において選択されたアイコンが試薬残量アイコン４２８ｃである場合には、ステップＳ８０に移行する。また、ステップＳ７１において選択されたアイコンが試薬残量アイコン４２８ｃでない場合には、ステップＳ８２に移行する。
【０１８１】
ステップＳ８０では、ハードディスク４０１ｄの試薬情報データベース３６の全レコードのうち、「使用可能量（試薬残量）」のフィールドに使用可能量に関するデータが記憶されているレコードが検索され、それらのレコードの「使用可能量」のフィールドに記憶されたデータが制御部４ａによって読み出される。「使用可能量（試薬残量）」のフィールドのデータがハードディスク４０１ｄの試薬情報データベース３６から読み出されると、ステップＳ８１に移行して、図１１および図１２に示すように、試薬配置表示領域４２０における各試薬マークの表示を、「試薬名＋試薬残量（使用可能量）」に切り替える。なお、各試薬マークにおいて、「使用可能量」が算出されていない残量不明（図１５参照）の試薬、誤配置マークＢ、有効期限切れマークＣおよびバーコード読み取りエラーマークＥが表示された試薬マークについては、使用可能量は表示されない。試薬配置表示領域４２０における各試薬マーク（第１試薬マーク４２１、第２試薬マーク４２２および希釈・洗浄液マーク４２３）に試薬残量情報が表示されると、処理がリターンされる。
【０１８２】
また、ステップＳ７９において、制御部４ａにより、ステップＳ７１において選択されたアイコンが試薬残量アイコン４２８ｃでないと判断された場合には、ステップＳ７１において選択されたアイコンは付加情報なしアイコン４２８ａであると判断され、ステップＳ８２において、制御部４ａにより、図７および図８に示すように、試薬配置表示領域４２０における各試薬マークの表示が、「試薬名」のみ（試薬名以外の試薬情報の非表示）に切り替えられる。その後、処理がリターンされる。
【０１８３】
このようにして、制御部４ａにより試薬管理画面４１０における切替表示処理が行われる。なお、ステップＳ７１以降に示した選択受付領域４２８における各アイコンの選択受付処理および各試薬マークの表示切替処理は、ユーザが実行した操作(イベント)に対応して処理を行なう、いわゆるイベントドリブン（イベント駆動）によって実行される。このため、試薬管理画面４１０の表示中は常に各アイコンの選択が受け付けられるとともに、各試薬マークの表示切替が行われる。
【０１８４】
図２９は、図２２に示すフローチャートのステップＳ２３において実行される制御装置の試薬交換処理の詳細を説明するためのフローチャートである。また、図３０は、図２２に示すフローチャートのステップＳ７において実行される測定機構部の試薬交換処理の詳細を説明するためのフローチャートである。次に、図５、図７、図２９および図３０を参照して、本実施形態による検体分析装置１の制御装置４と測定機構部２の試薬交換処理フローを説明する。
【０１８５】
図２９に示すように、まず、ステップＳ９１において、制御装置４の制御部４ａにより、交換対象の試薬の試薬マークが指定されたか否かが判断される。試薬の指定がない場合には、処理がリターンされる。試薬の指定があった場合には、ステップＳ９２において、交換・追加指示ボタン４４０ａが押下されたか否かが判断することにより交換指示を受け付けたか否かが判断される。試薬の交換の指示を受け付けた場合には、ステップＳ９３に進む。試薬の交換の指示を受け付けない場合には、処理がリターンされる。そして、ステップＳ９３において、制御装置４の制御部４ａは、試薬交換信号を測定機構部２の制御部５０１に送信する。
【０１８６】
また、測定機構部２の制御部５０１は、図３０のステップＳ１０１において、試薬交換信号を受信したか否かを判断する。試薬交換信号を受信しない場合には、測定機構部２の試薬交換処理は終了する。
【０１８７】
試薬交換信号を受信した場合には、ステップＳ１０２において、制御部５０１によって、第１駆動部５０２または第２駆動部５０３が制御されることにより、試薬交換対象の試薬テーブルが回転し、指定された試薬を保持する第１試薬容器ラック３１０または第２試薬容器ラック３２０が取出位置（第１蓋部３０または第２蓋部４０の下方）に移動される。この処理において、制御部５０１が試薬交換対象テーブルの駆動回路に対して移動を指示するコマンドを発する。そのコマンドをこの駆動回路が受け付けると、駆動回路が内蔵するステータスレジスタの試薬交換フラグをセットする。つまり、ユーザによって交換指示された試薬を含む試薬交換対象テーブルについて、上記の試薬交換ステータスをオンにセットするようになっている。なお、試薬交換ステータスは、第１試薬テーブル１１の試薬交換ステータスおよび第２試薬テーブル１２の試薬交換ステータスのいずれか一方がオンにセットされる。そして、指定された試薬を保持する試薬容器ラックが取出位置に移動されると、ステップＳ１０３において、制御部５０１によって、指定された試薬を保持する試薬容器ラックが取出位置に移動されたことを示す移動終了信号が制御装置４の制御部４ａに送信される。なお、制御部５０１が、第１駆動部５０２または第２駆動部５０３に供給した駆動パルス信号のパルス数をカウントすることにより、第１試薬テーブル１１および第２試薬テーブル１２の原点位置からの各試薬テーブル１１、１２の回転移動量を決定することが可能である。そのため、制御部５０１は、原点位置からの移動量によって、第１試薬テーブル１１または第２試薬テーブル１２が取出位置に移動したことを認識することが可能であり、その認識に基づいて移動終了信号を発生させる。
【０１８８】
制御部５０１から制御部４ａに移動終了信号が送信されると、図２９に示すステップＳ９４において、制御部４ａによって、移動終了信号を受信したか否かが判断される。ステップＳ９４において移動終了信号の受信が行われたと判断された場合には、ステップＳ９５において、指定された試薬を保持する試薬容器ラックが取出位置に移動されたことをユーザに通知する。具体的には、試薬管理画面４１０において、所定の色（たとえば、黄色）に表示されたラックマークが、異なる色（たとえば、緑色）に表示される。また、試薬交換部７においては、指定された試薬を保持する試薬容器ラックが取出位置に移動されると、試薬容器ラックの移動中に赤色に発光していたＬＥＤインジケータ５１またはＬＥＤインジケータ５２が青色に発光する。これにより、指定された試薬を保持する試薬容器ラックが取出位置に移動されたことがユーザに通知される。
【０１８９】
次に、試薬の交換作業のために、ユーザによって、試薬交換対象のテーブル（第１試薬テーブル１１または第２試薬テーブル１２）の蓋部（第１蓋部３０または第２蓋部４０）のロック機構が解除される。そして、この蓋部のロック検知部からロック解除信号が制御部５０１へ送られ、ステップＳ１０４において、制御部５０１によって、蓋部のロックが解除されたか否かが判断される。なお、ユーザによる試薬交換作業としては、ロック状態が解除された第１蓋部３０または第２蓋部４０がユーザにより取り外された後、取出位置（第１蓋部３０または第２蓋部４０の下方）にある試薬容器ラックの把持部（把持部３１３または３２７）がユーザにより把持されて取り出される。そして、ユーザにより、指定された試薬が収容された試薬容器３００が、新たな試薬が収容された試薬容器３００と交換される。その後、交換後の試薬が配置された試薬容器ラックが取出位置に戻され、ユーザにより第１蓋部３０または第２蓋部４０が取り付けられてロックされる。そして、蓋部のロック検知部からロック信号が制御部５０１へ送られ、ステップＳ１０５において、制御部５０１によって、蓋部がロックされたか否かが判断される。
【０１９０】
そして、ステップＳ１０５において、制御部５０１によって第１蓋部３０または第２蓋部４０がロックされたと判断された場合には、ステップＳ１０６において、バーコードの読取動作が行われる。このバーコードの読取動作では、制御部５０１が、交換された試薬が配置される第１試薬容器ラック３１０または第２試薬容器ラック３２０に対して、試薬バーコードリーダ３５０によるバーコードの読み取りを行うように、第１試薬テーブル１１または第２試薬テーブル１２と試薬バーコードリーダ３５０とを制御する。具体的には、第２試薬容器ラック３２０、および、第２試薬容器ラック３２０に保持されている試薬容器３００のバーコード３００ａ、３２１ｂ〜３２６ｂまたは３２１ｃ〜３２６ｃの読み取りを行う際には、第２試薬テーブル１２が図５の矢印Ｇ方向（反時計回り）に回転されながら、最初に位置情報（ホルダ番号）を識別するためのバーコード３２１ｂを読み取る。その後、詳細識別情報を識別するためのバーコード３００ａまたは容器無し情報を識別するためのバーコード３２１ｃを読み取り、その後、位置情報を表すバーコード３２２ｂを読み取る。このように、位置情報（ホルダ番号）（バーコード３２１ｂ〜３２６ｂ）と位置情報に対応する詳細識別情報（バーコード３００ａ）または容器無し情報（バーコード３２１ｃ〜３２６ｃ）とを交互に読み取っていく。なお、詳細識別情報には、容器種類情報、試薬ＩＤおよびロット番号が含まれている。
【０１９１】
また、第１試薬容器ラック３１０、および、第１試薬容器ラック３１０に保持されている試薬容器３００のバーコード３００ａ、３１１ｂ〜３１２ｂまたは３１１ｃ〜３１２ｃの読み取りの際には、まず、第２試薬テーブル１２の隙間１２ａ（図５参照）が試薬バーコードリーダ３５０と対向する位置に到達するように第２試薬テーブル１２が回転移動される。その後、第１試薬テーブル１１が図５の矢印Ｇ方向（反時計回り）に回転されながら、試薬バーコードリーダ３５０が、隙間１２ａ（図５参照）を介して、上記第２試薬容器ラック３２０および第２試薬容器ラック３２０に保持されている試薬容器３００のバーコード３００ａの読み取りの場合と同様に、位置情報（ホルダ番号）（バーコード３１１ｂ〜３１２ｂ）と位置情報に対応する詳細識別情報（バーコード３００ａ）または容器無し情報（バーコード３１１ｃ〜３１２ｃ）とを交互に読み取っていく。また、読み取られた位置情報と、位置情報（ホルダ番号）に対応する詳細識別情報または容器無し情報とは、制御部５０１に送られてＲＡＭ５０１ｃに記憶される。また、ステップＳ１０７において、バーコード読取日時が検出される。
【０１９２】
次に、ステップＳ１０８において、制御部５０１によって、ＲＡＭ５０１ｃに記憶されたバーコード読取情報およびバーコード読取日時は、制御部４ａに送信される。
【０１９３】
制御部５０１から制御部４ａにバーコード読取情報およびバーコード読取日時が送信されると、図２９に示すステップＳ９６において、制御部４ａによって、バーコード読取情報およびバーコード読取日時を受信したか否かが判断される。ステップＳ９６において、バーコード読取情報およびバーコード読取日時の受信が行われたと判断された場合には、ステップＳ９７において、バーコード読取情報およびバーコード読取日時に基づいて、試薬のセット日およびセット時刻を含む試薬詳細情報を取得する。具体的には、バーコード読取情報（（位置情報）ホルダ番号、試薬ＩＤおよび容器種類情報など）に基づいて、前述した試薬マスタ、試薬ロットマスタおよび容器マスタを参照して、交換された試薬を保持する試薬ラック中の試薬全てについて、試薬名、容器の種類、ロット番号および有効期限などの詳細情報を取得する。さらに具体的には、試薬容器ラックのバーコードの位置情報から「ホルダ番号」が特定される。また、試薬ＩＤと、試薬設定情報とが照合されて、「試薬名」および「攪拌の有無」が特定される。また、試薬ロット番号と、試薬ロット設定情報とが照合されて、「試薬ロット番号」および「有効期限」が特定される。また、容器ＩＤと、容器設定情報とが照合されて、「容器種類」が特定される。また、測定に使用された試薬については、上記のように、試薬の残量が算出されるので、算出された試薬の残量から「使用可能量」および「残テスト数」が特定される。なお、試薬が交換されてから一度も測定に使用されていない場合には、「使用可能量」および「残テスト数」は、算出されない。また、交換された試薬についての「セット日」および「セット時刻」は、バーコードの読み取りが行われた日時により特定され、交換されなかった試薬についての「セット日」および「セット時刻」は特定されない。
【０１９４】
そして、ステップＳ９８において、試薬のセット日およびセット時刻を含む試薬詳細情報がハードディスク４０１ｄの試薬情報データベース３６に記憶される。この際、交換により試薬保存部６から取り出された試薬の試薬詳細情報については試薬情報データベース３６から削除され、交換により試薬保存部６に新たにセットされた試薬の試薬詳細情報が試薬情報データベース３６に新たに格納される。一方、交換されなかった試薬についての試薬詳細情報は試薬情報データベース３６にそのまま保存される。なお、交換された試薬の「使用可能量」および「残テスト数」は不明であるため、交換により試薬保存部６に新たにセットされた試薬については、試薬情報データベース３６の「使用可能量」および「残テスト数」のフィールドに「―（ハイフン）」が格納される。そして、ステップＳ９９において、位置情報、試薬名、容器の種類、ロット番号、有効期限、使用可能量および残テスト数などの試薬詳細情報は、制御部４ａによって、試薬管理画面４１０の第１試薬マーク４２１、第２試薬マーク４２２または試薬未配置マーク４２７と試薬詳細表示領域４３０とに反映される（図７参照）。なお、このとき、交換された試薬は残量が不明であるため、残量インジケータは、所定の色（灰色）に表示される。
【０１９５】
本実施形態では、上記のように、第１試薬テーブル１１、第２試薬テーブル１２および保持部１４１にそれぞれ配置された各試薬（希釈液・洗浄液）に関する３種類の試薬情報（経過時間情報、試薬残量情報および残テスト数情報）の１つを各試薬マーク（第１試薬マーク４２１、第２試薬マーク４２２および希釈・洗浄液マーク４２３）の各々に表示することによって、複数の試薬マークの各々に、対応する試薬の試薬情報を表示させることができるので、ユーザは、第１試薬テーブル１１、第２試薬テーブル１２および保持部１４１にそれぞれ配置された複数の試薬の試薬情報を一目で容易に把握することができる。また、選択受付領域４２８の各アイコン（付加情報なしアイコン４２８ａ、経過時間アイコン４２８ｂ、試薬残量アイコン４２８ｃおよび残テスト数アイコン４２８ｄ）の選択を受け付けると、複数の試薬マークの各々に表示される試薬情報を選択されたアイコンに対応する試薬情報に切り替えるように構成することによって、複数の試薬マークの各々に表示される試薬情報を、３種類の試薬情報の中から選択的に表示させることができる。これにより、ユーザは、必要な試薬情報を複数の試薬マークの各々に選択的に表示させることによって、ユーザにとって情報過多となることなく必要とする情報を把握することができる。
【０１９６】
また、本実施形態では、上記のように、試薬情報の１つが複数の試薬マーク（第１試薬マーク４２１、第２試薬マーク４２２および希釈・洗浄液マーク４２３）の各々に表示されている場合に、他のアイコンの選択を受け付けると、複数の試薬マークの各々に表示される試薬情報を、選択された他の種類の試薬情報に切り替えることによって、ユーザは、複数種類の試薬情報の中から選択するだけで、容易に、複数の試薬マークに表示される試薬情報を、必要な試薬情報に切り替えることができる。
【０１９７】
また、本実施形態では、上記のように、制御部４ａを、選択受付領域４２８の所定のアイコンが選択された場合に、選択されたアイコンに対応する試薬情報の選択を受け付けるように構成することによって、試薬管理画面４１０に含まれる選択受付領域４２８の複数のアイコンを選択するだけで、複数の試薬マーク（第１試薬マーク４２１、第２試薬マーク４２２および希釈・洗浄液マーク４２３）の各々に表示される試薬情報を選択することができる。これにより、ユーザは、必要な試薬情報の選択（アイコンの押下）と付加情報表示部（４２１ｃ、４２２ｃおよび４２３ｃ）への表示とを同じ試薬管理画面４１０内で行うことができる。
【０１９８】
また、本実施形態では、上記のように、選択受付領域４２８における複数のアイコンのうち、選択されたアイコンを、他のアイコンに対して背景色をたとえば橙色に変更することにより、識別可能に表示することによって、複数の試薬マーク（第１試薬マーク４２１、第２試薬マーク４２２および希釈・洗浄液マーク４２３）に表示されている試薬情報が、複数のアイコンのうち、いずれのアイコンが選択されることにより表示されているのかを識別することができる。これにより、ユーザは、各試薬マークに表示されている試薬情報が、複数種類の試薬情報の内の、どの試薬情報なのかを容易に把握することができる。
【０１９９】
また、本実施形態では、上記のように、選択受付領域４２８に、複数の試薬マーク（第１試薬マーク４２１、第２試薬マーク４２２および希釈・洗浄液マーク４２３）の各々における試薬情報の表示を非表示とするための付加情報なしアイコン４２８ａを設けることによって、ユーザは、表示画面に表示された選択受付領域４２８の中から付加情報なしアイコン４２８ａを選択することにより、各試薬マークの付加情報表示部（４２１ｃ、４２２ｃおよび４２３ｃ）における試薬情報を必要に応じて非表示に切り替えることができる。
【０２００】
また、本実施形態では、上記のように、表示する試薬情報の選択を、アイコンにより受け付けることによって、ユーザは、複数種類の試薬情報を、各々のアイコンによって、直感的に認識して選択することができる。
【０２０１】
また、本実施形態では、上記のように、選択受付領域４２８を囲むように、環状の第１試薬テーブル１１、第２試薬テーブル１２および保持部１４１の模式図からなる試薬配置表示領域４２０を試薬管理画面４１０上に配置することによって、ユーザは、環状に表示された試薬配置表示領域４２０により試薬管理画面４１０を見るだけで第１試薬テーブル１１、第２試薬テーブル１２および保持部１４１の試薬の配置を直感的に把握できるとともに、環状の試薬配置表示領域４２０の中央の試薬マークが配置されない部分に選択受付領域４２８を配置することができるので、表示スペースを有効利用することができる。
【０２０２】
また、本実施形態では、上記のように、試薬を模式的に示す複数の試薬マーク（第１試薬マーク４２１、第２試薬マーク４２２および希釈・洗浄液マーク４２３）を試薬配置表示領域４２０上に表示するとともに、複数の試薬マーク内の付加情報表示部（４２１ｃ、４２２ｃおよび４２３ｃ）に試薬情報の１つを表示することによって、試薬管理画面４１０の試薬配置表示領域４２０と試薬配置表示領域４２０上の各試薬マークの配置とが、実際の第１試薬テーブル１１、第２試薬テーブル１２および保持部１４１と第１試薬テーブル１１、第２試薬テーブル１２および保持部１４１における試薬の配置とに対応して表示され、かつ、各試薬マーク内に試薬情報が表示されるので、ユーザは、試薬マークの表示を見ることにより、試薬の配置位置と対応させて試薬情報を確認することができる。
【０２０３】
また、本実施形態では、上記のように、制御部４ａは、各試薬マークの付加情報表示部に表示される試薬情報を含む試薬詳細情報を詳細情報表示領域４３０に表示することによって、ユーザは、複数の試薬マークに表示させた試薬情報（経過時間情報、試薬残量情報および残テスト数情報）を試薬の配置状況とともに把握した上で、確認を要する試薬マークを指定して、詳細情報表示領域４３０に試薬詳細情報を表示させることができる。これにより、ユーザは、第１試薬テーブル１１、第２試薬テーブル１２および保持部１４１に多数配置される試薬の全体的な状況と、確認を要する試薬の詳細な情報との両方を容易に把握することができるので、作業性を向上させることができる。
【０２０４】
また、本実施形態では、上記のように、選択受付領域４２８に、経過時間情報を選択するための経過時間アイコン４２８ｂと、試薬残量情報を選択するための試薬残量アイコン４２８ｃと、残テスト数情報を選択するための残テスト数アイコン４２８ｄと、複数の試薬マークの各々における試薬情報の表示を非表示とするための付加情報なしアイコン４２８ａとを設けることによって、ユーザは、検体分析装置１の使用上、試薬交換のために頻繁な確認を要する試薬残量情報と、測定可能な回数を把握するための試薬の残テスト数情報と、各試薬の有効期限の判断のための経過時間情報とを、それぞれ試薬残量アイコン４２８ｃと、残テスト数アイコン４２８ｄと、経過時間アイコン４２８ｂとを選択することにより複数の試薬マークの付加情報表示部の各々に一括で選択的に表示させることができる。これにより、頻繁に確認する必要がある情報を必要に応じて一覧して把握することができる。
【０２０５】
また、本実施形態では、前回の試薬管理画面４１０の表示時に各試薬マークの付加情報表示部（４２１ｃ、４２２ｃおよび４２３ｃ）に表示された試薬情報の種類をハードディスク４０１ｄに記憶するとともに、試薬管理画面４１０の表示時に、ハードディスク４０１ｄに記憶された種類の試薬情報を各試薬マークの付加情報表示部に表示させることによって、前回の試薬管理画面４１０に選択されていた試薬情報と同じ試薬情報を検体分析装置１を起動（試薬管理画面の表示）する毎にアイコンを選択して各試薬マークに表示させる必要がないので、余計な切り替え作業を行うことなく、試薬情報を確認することができる。また、特定の試薬情報のみを常時試薬マークに表示させたままにしておくことができるので、ユーザが常に必要とする試薬情報を常時表示させておくことができる。
【０２０６】
また、本実施形態では、上記のように、制御部４ａは、複数の試薬マークの試薬名表示部および付加情報表示部に表示される複数の試薬情報を、残量インジケータ（４２１ｄ、４２２ｄおよび４２３ｄ）に重ねて表示させるように構成することによって、各試薬マークに表示される表示に重ねて、残量情報を背景として表示させることができるので、各試薬マークを拡大することなく複数の試薬情報（試薬名、付加情報表示部の試薬情報、および残量情報）を表示させることができる。これにより、表示領域を拡大することなく、より多くの試薬情報を試薬管理画面４１０上に表示させることができる。
【０２０７】
また、本実施形態では、上記のように、残量インジケータ（４２１ｄ、４２２ｄおよび４２３ｄ）が第１試薬テーブル１１、第２試薬テーブル１２および保持部１４１に配置された各試薬の残量に関する情報を表示することによって、検体分析装置１の使用上、試薬交換のために頻繁な確認を要する試薬の残量に関する情報を、各試薬マークに表示される試薬情報の表示に重ねて、背景として常に表示させておくことができる。
【０２０８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０２０９】
たとえば、上記実施形態では、選択受付領域の各アイコンの１つを選択することにより付加情報表示部に１つの試薬情報を選択的に表示した例を示したが、本発明はこれに限らず、複数のアイコンを選択して付加情報表示部に複数の試薬情報を表示するように構成してもよい。
【０２１０】
また、上記実施形態では、各試薬マークの付加情報表示部に、経過時間情報、試薬残量情報および残テスト数情報を切り替え可能に選択的に表示した例を示したが、本発明はこれに限らず、各試薬マークの付加情報表示部に、たとえば、攪拌の有無や試薬の有効期限など、経過時間情報、試薬残量情報および残テスト数情報以外の情報を切り替え可能に選択的に表示してもよい。また、付加情報表示部に表示可能な試薬情報の種類を、ユーザが設定可能に構成してもよい。
【０２１１】
また、上記実施形態では、選択受付領域の各アイコンの１つを選択することにより、試薬配置表示領域４２０の全ての試薬マーク（第１試薬マーク４２１、第２試薬マーク４２２および希釈・洗浄液マーク４２３）の付加情報表示部に試薬情報を表示した例を示したが、本発明はこれに限らず、試薬配置表示領域４２０に配置された各試薬マークの一部にのみ試薬情報を表示してもよい。たとえば第１試薬マークまたは第２試薬マークのいずれかのみの付加情報表示部に試薬情報を表示するように構成してもよい。
【０２１２】
また、上記実施形態では、選択受付領域のアイコンを選択可能に表示した例を示したが、本発明はこれに限らず、アイコンに加えて、文字などを併記してもよいし、アイコン以外の選択部（ボタン）を設けてもよい。たとえば、付加情報表示部に表示される試薬情報を表示した文字のみからなるボタンを設けてもよい。
【０２１３】
また、上記実施形態では、選択受付領域４２８を環状の試薬配置表示領域４２０に囲まれるように配置した例を示したが、本発明はこれに限らず、選択受付領域は試薬配置表示領域に囲まれるように配置しなくてもよい。選択受付領域は、たとえば、試薬詳細情報表示領域４３０に表示された試薬詳細情報の各項目名（「使用可能量」、「残テスト数」など）を選択受付領域として選択可能に構成し、項目名を選択することにより各試薬マークの付加情報表示部に表示される試薬情報を切り替えるように構成してもよい。
【０２１４】
また、上記実施形態では、選択受付領域に４つのアイコン（付加情報なしアイコン４２８ａ、経過時間アイコン４２８ｂ、試薬残量アイコン４２８ｃおよび残テスト数アイコン４２８ｄ）を選択可能に配置した例を示したが、本発明はこれに限らず、選択受付領域には、２つ、３つおよび５つ以上のアイコンを選択可能に配置するように構成してもよい。
【０２１５】
また、上記実施形態では、選択受付領域の各アイコンを選択することにより、各試薬マークの付加情報表示部に表示される試薬情報を選択可能に構成した例を示したが、本発明はこれに限らず、各試薬マークに表示される試薬情報の切り替えは、たとえば試薬管理画面をダブルクリックすることにより、残テスト数、試薬残量、経過時間および付加情報なしが順番に切り替えられるようにしてもよい。また、「表示切替」アイコンを設けて、これをクリックすると順番に切り替わるように構成してもよい。また、この「表示切替」アイコンを設ける場合には、各試薬マークの付加情報表示部に表示されている試薬情報を示す情報を「表示切替」アイコン内の所定領域に表示し、使用者のクリックに応じて、「表示切替」アイコン内の所定領域内の情報が切り替わってもよい。例えば、各試薬マークの付加情報表示部に試薬の残テスト数が表示されている場合には、「表示切替」アイコン内の所定領域に「残テスト数」と表示し、使用者のクリックに応じて各試薬マークの付加情報表示部の試薬情報が経過時間情報に切り替わった場合には、「表示切替」アイコン内の所定領域に「経過時間」と表示してもよい。
【０２１６】
また、上記実施形態では、選択受付領域の付加情報なしアイコン４２８ａを選択（押下げ）することにより、各試薬マークの付加情報表示部に表示される試薬情報を非表示とするように構成した例を示したが、本発明はこれに限らず、たとえば各アイコンを一度選択（押下げ）すると各試薬マークに試薬情報が表示され、同じアイコンを再度選択（押下げ）すると各試薬マークに表示されていた試薬情報が非表示になるように構成してもよい。
【０２１７】
また、上記実施形態では、選択受付領域のアイコンを選択することにより、各試薬マークの付加情報表示部に表示される試薬情報が切り替えられる構成を示したが、本発明はこれに限らず、例えば、検体分析装置が、試薬の残量不足や、経過時間が許容範囲を超えていることを検知した場合に、試薬の残量不足が生じていることや経過時間が異常であることを示す警告を表示画面に表示するとともに、試薬の残量不足が生じている場合には、自動的に各試薬マークの付加情報表示部に表示される試薬情報を試薬の残量情報に切り替え、経過時間が異常である場合には、自動的に各試薬マークの付加情報表示部に表示される試薬情報を経過時間情報に切り替えるようにしてもよい。また、試薬の残量不足が生じていることや経過時間が異常であることを示すとともに各試薬マークの付加情報表示部に表示される試薬情報を切り替えるか否かを受け付けるためのダイアログを表示画面に表示し、そのダイアログで試薬情報の切替指示を使用者から受け付けた場合に、各試薬マークの付加情報表示部に表示される試薬情報を試薬の残量情報や経過時間情報に切り替えるようにしてもよい。
【０２１８】
また、上記実施形態では、残量インジケータにより各試薬マークに対応する試薬の残量を背景表示した例を示したが、本発明はこれに限らず、たとえば試薬の有効期限をインジケータにより背景表示してもよい。
【０２１９】
また、上記実施形態では、試薬の残量を残量インジケータにより水色で表示するとともに、警告テスト数に達すると黄色に表示され、中断テスト数に達すると赤色に警告表示されるように構成した例を示したが、本発明はこれに限らず、残量インジケータの表示は、上述の例とは異なる色彩の組み合わせにより表示してもよい。
【０２２０】
また、上記実施形態では、残量インジケータを、試薬マーク内において試薬容器３００内の試薬残量の減少とともに水色の領域を減少させるように表示した例を示したが、本発明はこれに限らず、残量インジケータの表示は、色彩の変化のみでもよい。すなわち、残量の減少に応じて水色の領域を減少させることなく、残テスト数が警告テスト数より多い場合に試薬マークの背景が水色表示され、警告テスト数に達すると黄色の背景表示がされ、中断テスト数に達すると赤色の背景表示がされるように構成してもよい。
【０２２１】
また、上記実施形態では、表示部は、タッチパネル機能を有し、試薬管理画面に表示されるボタンなどをユーザが直接触れることによって選択または操作可能な例を示したが、本発明はこれに限らず、キーボードまたはマウスによって試薬管理画面に表示されるボタンなどを指定することによって選択または操作可能な構成にしてもよい。
【図面の簡単な説明】
【０２２２】
【図１】本発明の一実施形態による検体分析装置の全体構成を示す斜視図である。
【図２】図１に示した検体分析装置の平面図である。
【図３】本発明の一実施形態による検体分析装置の測定機構部を示す平面図である。
【図４】本発明の一実施形態による検体分析装置の測定機構部および試薬保存部の内部を示す斜視図である。
【図５】図４に示した測定機構部および試薬保存部の内部を示す平面図である。
【図６】本発明の一実施形態による検体分析装置の制御装置を示すブロック図である。
【図７】本発明の一実施形態による試薬管理画面の付加情報なしアイコンが選択された状態を示す図である。
【図８】図７に示した試薬管理画面の拡大図である。
【図９】本発明の一実施形態による試薬管理画面の経過時間アイコンが選択された状態を示す図である。
【図１０】図９に示した試薬管理画面の拡大図である。
【図１１】本発明の一実施形態による試薬管理画面の試薬残量アイコンが選択された状態を示す図である。
【図１２】図１１に示した試薬管理画面の拡大図である。
【図１３】本発明の一実施形態による試薬管理画面の残テスト数アイコンが選択された状態を示す図である。
【図１４】図１３に示した試薬管理画面の拡大図である。
【図１５】本発明の一実施形態による検体分析装置に用いられる試薬マークの表示を説明するための図である。
【図１６】本発明の一実施形態による検体分析装置に用いられる第１試薬容器ラックを示す斜視図である。
【図１７】本発明の一実施形態による検体分析装置に用いられる第２試薬容器ラックを示す斜視図である。
【図１８】図１６に示した第１試薬容器ラックに試薬容器が保持された状態を示す斜視図である。
【図１９】図１７に示した第２試薬容器ラックに試薬容器が保持された状態を示す斜視図である。
【図２０】本発明の一実施形態による検体分析装置のブロック図である。
【図２１】本発明の一実施形態による検体分析装置の測定機構部の制御部のブロック図である。
【図２２】本発明の一実施形態による検体分析装置の制御装置と測定機構部とによる測定処理を説明するためのフローチャートである。
【図２３】本発明の一実施形態による検体分析装置の測定機構部の初期化処理を説明するためのフローチャートである。
【図２４】本発明の一実施形態による検体分析装置の制御装置の初期化処理を説明するためのフローチャートである。
【図２５】本発明の一実施形態による検体分析装置の測定機構部の制御部による分注処理を説明するためのフローチャートである。
【図２６】試薬の残量の算出方法を説明するための概念図である。
【図２７】本発明の一実施形態による検体分析装置の制御装置による試薬の残量・残テスト数取得処理を説明するためのフローチャートである。
【図２８】本発明の一実施形態による検体分析装置の試薬管理画面における切替表示処理を説明するためのフローチャートである。
【図２９】本発明の一実施形態による検体分析装置の制御装置による試薬交換処理を説明するためのフローチャートである。
【図３０】本発明の一実施形態による検体分析装置の測定機構部による試薬交換処理を説明するためのフローチャートである。
【図３１】本発明の一実施形態による検体分析装置の試薬管理画面の表示処理を説明するためのフローチャートである。
【図３２】本発明の一実施形態による検体分析装置のハードディスクに格納された試薬情報データベースの構造を示す模式図である。
【符号の説明】
【０２２３】
１              検体分析装置
４ａ            制御部
４ｂ            表示部
６              試薬保存部
１１            第１試薬テーブル
１２            第２試薬テーブル
４０１ｄ        ハードディスク
４１０          試薬管理画面
４２１          第１試薬マーク
４２１ｄ        残量インジケータ
４２２          第２試薬マーク
４２２ｄ        残量インジケータ
４２３          希釈・洗浄液マーク
４２３ｄ        残量インジケータ
４２８          選択受付領域
４２８ａ        付加情報なしアイコン
４２８ｂ        経過時間アイコン
４２８ｃ        試薬残量アイコン
４２８ｄ        残テスト数アイコン
４３０          試薬詳細情報表示領域
【図１】
2010107478.tif 000003
【図２】
2010107478.tif 000004
【図３】
2010107478.tif 000005
【図４】
2010107478.tif 000006
【図５】
2010107478.tif 000007
【図６】
2010107478.tif 000008
【図７】
2010107478.tif 000009
【図８】
2010107478.tif 000010
【図９】
2010107478.tif 000011
【図１０】
2010107478.tif 000012
【図１１】
2010107478.tif 000013
【図１２】
2010107478.tif 000014
【図１３】
2010107478.tif 000015
【図１４】
2010107478.tif 000016
【図１５】
2010107478.tif 000017
【図１６】
2010107478.tif 000018
【図１７】
2010107478.tif 000019
【図１８】
2010107478.tif 000020
【図１９】
2010107478.tif 000021
【図２０】
2010107478.tif 000022
【図２１】
2010107478.tif 000023
【図２２】
2010107478.tif 000024
【図２３】
2010107478.tif 000025
【図２４】
2010107478.tif 000026
【図２５】
2010107478.tif 000027
【図２６】
2010107478.tif 000028
【図２７】
2010107478.tif 000029
【図２８】
2010107478.tif 000030
【図２９】
2010107478.tif 000031
【図３０】
2010107478.tif 000032
【図３１】
2010107478.tif 000033
【図３２】
2010107478.tif 000034
【手続補正書】
【提出日】平成20年11月4日(2008.11.4)
【手続補正１】
【補正対象書類名】図面
【補正対象項目名】図１１
【補正方法】変更
【補正の内容】
【図１１】
2010107478.tif 000035
【手続補正２】
【補正対象書類名】図面
【補正対象項目名】図１３
【補正方法】変更
【補正の内容】
【図１３】
2010107478.tif 000036